(57)【要約】【課題】斬新な遊技性を提供することができ、遊技に対する興趣の向上を図ることができる遊技機を提供する。【解決手段】主制御用ＣＰＵは、入球率向上状態が付与されている場合には、入球率向上状態が付与されていない場合よりも変動時間が長い変動内容を決定し易くなる。特殊開閉手段は、特殊入球手段とは別で特定通過領域を通過することを契機とする第１条件と、特殊通過領域を遊技球が通過して第２当り遊技が生起された第２条件との何れか一方により、特殊入球口が開状態と閉状態を取り得るように動作する。第２条件が成立することにより第２当り遊技において特殊開閉手段が開状態とされる１回の開放時間の少なくとも一部は、第１条件が成立することにより特殊開閉手段が開状態とされる１回の開放時間の一部と同じと特定可能なように規定されている。【選択図】図８
2015171403.tif 000002
【特許請求の範囲】
【請求項１】
所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、
図柄変動ゲームが第１当りとなるか否かを判定する当り判定手段と、
前記当り判定手段の判定結果に基づいて図柄変動ゲームの変動時間を特定可能な図柄変動ゲームの変動内容を決定する変動内容決定手段と、
遊技球が入球可能な特殊入球口、該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、
前記当り判定手段の判定結果が肯定となったことによる第１当り遊技が生起された場合、該第１当り遊技の終了後に、前記特殊開閉手段が開状態となり易くなる入球率向上状態を特定回数の図柄変動ゲームを上限として付与可能に制御する遊技状態制御手段と、を備え、
前記変動内容決定手段は、前記入球率向上状態が付与されている場合には、前記入球率向上状態が付与されていない場合よりも変動時間が長い変動内容を決定し易く、
前記特殊開閉手段は、前記特殊入球手段とは別で特定通過領域を通過することを契機とする第１条件と、前記特殊通過領域を遊技球が通過して第２当り遊技が生起された第２条件との何れか一方により、前記特殊入球口が開状態と閉状態を取り得るように動作し、
前記第２条件が成立することにより前記第２当り遊技において前記特殊開閉手段が開状態とされる１回の開放時間の少なくとも一部は、前記第１条件が成立することにより前記特殊開閉手段が開状態とされる１回の開放時間の一部と同じと特定可能なように規定されている遊技機。
【請求項２】
前記第１条件が成立することにより前記特殊入球口に入球する遊技球の第１上限個数と、前記第２条件が成立することにより前記特殊入球口に入球する遊技球の第２上限個数とが規定されており、前記第１条件が成立することにより前記特殊開閉手段が動作可能な単位期間内に前記特殊入球口に第１上限個数の遊技球が入球したら前記特殊開閉手段の動作が終了され、前記第２条件が成立することにより前記特殊開閉手段が動作可能な単位期間内に前記特殊入球口に第２上限個数の遊技球が入球したら前記特殊開閉手段の動作が終了され、前記第１条件が成立することにより前記特殊開閉手段が動作可能な単位期間内に前記特殊開閉手段が開状態とされる合計開放時間には、前記特殊入球口に第１上限個数の遊技球が入球困難となる開放時間が規定されており、前記第２条件が成立することにより前記特殊開閉手段が動作可能な単位期間内に前記特殊開閉手段が開状態とされる合計開放時間には、前記特殊入球口に第２上限個数の遊技球が入球困難となる開放時間が規定されている請求項１に記載の遊技機。
【請求項３】
所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、
図柄変動ゲームが第１当りとなるか否かを判定する当り判定手段と、
前記当り判定手段の判定結果に基づいて図柄変動ゲームの変動時間を特定可能な図柄変動ゲームの変動内容を決定する変動内容決定手段と、
遊技球が入球可能な特殊入球口、所定の開条件が成立すると該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、
遊技球が入球可能な特別入球口、前記特殊通過領域を遊技球が通過して第２当り遊技が生起されたときに該特別入球口が開状態と閉状態を取り得るように動作する特別開閉手段を有する特別入球手段と、
前記当り判定手段の判定結果が肯定となったことによる第１当り遊技が生起された場合、該第１当り遊技の終了後に、前記所定の開条件が成立し易くなる入球率向上状態を特定回数の図柄変動ゲームを上限として付与可能に制御する遊技状態制御手段と、を備え、
前記変動内容決定手段は、前記入球率向上状態が付与されている場合には、前記入球率向上状態が付与されていない場合よりも変動時間が長い変動内容を決定し易く、
前記第２当り遊技において前記特別開閉手段が開状態とされる１回の開放時間の少なくとも一部は、前記所定の開条件が成立することにより前記特殊開閉手段が開状態とされる１回の開放時間の一部と同じと特定可能なように規定されている遊技機。
【請求項４】
前記特殊入球口に入球する遊技球の上限個数が規定されており、
前記特殊開閉手段が動作可能な単位期間内に前記特殊入球口に上限個数の遊技球が入球したら前記特殊開閉手段の動作が終了され、
前記特別入球口に入球する遊技球の上限個数が規定されており、
前記特別開閉手段が動作可能な単位期間内に前記特別入球口に上限個数の遊技球が入球したら前記特別開閉手段の動作が終了され、
前記特殊開閉手段が動作可能な単位期間内に前記特殊開閉手段が開状態とされる合計開放時間には、前記特殊入球口に上限個数の遊技球が入球困難となる開放時間が規定されており、
前記特別開閉手段が動作可能な単位期間内に前記特別開閉手段が開状態とされる合計開放時間には、前記特別入球口に上限個数の遊技球が入球困難となる開放時間が規定されている請求項３に記載の遊技機。
【請求項５】
遊技球が入球可能であり、遊技球が入球することで図柄変動ゲームの実行条件となり得る始動手段と、
普通実行条件の成立により、普通図柄を変動させて表示する普通図柄変動ゲームが普通当りとなるか否かを判定する普通当り判定手段と、
遊技球が入球可能な普通入球口、前記普通図柄変動ゲームにおいて予め定めた普通当り表示結果が表示された場合に該普通入球口が開状態と閉状態を取り得るように動作する開閉手段を有する可変入球手段と、を備え、
前記特殊開閉手段は、前記普通入球口への遊技球の入球に起因して前記特殊入球口が開状態と閉状態を取り得るように動作し、前記入球率向上状態が付与されている場合には、前記入球率向上状態が付与されていない場合と比べて前記普通入球口に遊技球が入球し易くなるように開状態を取り易くなる請求項１〜請求項４のうち何れか一項に記載の遊技機。
【発明の詳細な説明】
【技術分野】
【０００１】
本発明は、図柄を変動させて行う図柄変動ゲームにおいて予め定めた当り表示結果が表示された場合には、遊技者に有利となる当り遊技が生起される遊技機に関する。
【背景技術】
【０００２】
従来、遊技機の一種であるパチンコ遊技機では、始動入賞口への遊技球の入球を契機に、特別図柄を変動させて行う図柄変動ゲームが行われ、その結果、大当り表示結果として表示された場合には、大入賞口が開放可能となり、多数の賞球が払い出される大当り遊技が付与される。
【０００３】
このような遊技機の中には、始動入賞口が開放状態と閉状態を取り得るように開閉部材を作動させるものが一般的である。そして、例えば、特許文献１に示すように、作動ゲートへの遊技球の通過などの普通実行条件が成立すると、特別図柄とは異なる普通図柄を変動させて行う普通図柄変動ゲームが行われ、その結果、普図当りとなった場合に、開閉部材が開状態となるものが開示されている。このときには、始動入賞口に遊技球が入賞し易くなり、図柄変動ゲームの実行条件が成立し易くなる。
【先行技術文献】
【特許文献】
【０００４】
【特許文献１】特開２００６−２０９６０号公報
【発明の概要】
【発明が解決しようとする課題】
【０００５】
しかしながら、このような遊技機において、例えば、始動入賞口の開閉手段が開状態となっても、それ以前から同じように始動入賞口に遊技球が入賞するか否かに注目している傾向があり、遊技が単調となってしまうおそれがあり、斬新な遊技性を提供することにより、遊技に対する興趣の向上を図ることが望まれている。
【０００６】
この発明は、このような従来の技術に存在する問題点に着目してなされたものであり、その目的は、斬新な遊技性を提供することができ、遊技に対する興趣の向上を図ることができる遊技機を提供することにある。
【課題を解決するための手段】
【０００７】
上記問題点を解決する遊技機は、所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、前記当り判定手段の判定結果が肯定となったことによる第１当り遊技が生起された場合、該第１当り遊技の終了後に、前記特殊開閉手段が開状態となり易くなる入球率向上状態を特定回数の図柄変動ゲームを上限として付与可能に制御する遊技状態制御手段と、を備え、前記変動内容決定手段は、前記入球率向上状態が付与されている場合には、前記入球率向上状態が付与されていない場合よりも変動時間が長い変動内容を決定し易く、前記特殊開閉手段は、前記特殊入球手段とは別で特定通過領域を通過することを契機とする第１条件と、前記特殊通過領域を遊技球が通過して第２当り遊技が生起された第２条件との何れか一方により、前記特殊入球口が開状態と閉状態を取り得るように動作し、前記第２条件が成立することにより前記第２当り遊技において前記特殊開閉手段が開状態とされる１回の開放時間の少なくとも一部は、前記第１条件が成立することにより前記特殊開閉手段が開状態とされる１回の開放時間の一部と同じと特定可能なように規定されていることを要旨とする。
【０００８】
上記遊技機について、前記第１条件が成立することにより前記特殊入球口に入球する遊技球の第１上限個数と、前記第２条件が成立することにより前記特殊入球口に入球する遊技球の第２上限個数とが規定されており、前記第１条件が成立することにより前記特殊開閉手段が動作可能な単位期間内に前記特殊入球口に第１上限個数の遊技球が入球したら前記特殊開閉手段の動作が終了され、前記第２条件が成立することにより前記特殊開閉手段が動作可能な単位期間内に前記特殊入球口に第２上限個数の遊技球が入球したら前記特殊開閉手段の動作が終了され、前記第１条件が成立することにより前記特殊開閉手段が動作可能な単位期間内に前記特殊開閉手段が開状態とされる合計開放時間には、前記特殊入球口に第１上限個数の遊技球が入球困難となる開放時間が規定されており、前記第２条件が成立することにより前記特殊開閉手段が動作可能な単位期間内に前記特殊開閉手段が開状態とされる合計開放時間には、前記特殊入球口に第２上限個数の遊技球が入球困難となる開放時間が規定されている構成としてもよい。
【０００９】
上記問題点を解決する遊技機は、所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、所定の開条件が成立すると該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、遊技球が入球可能な特別入球口、前記特殊通過領域を遊技球が通過して第２当り遊技が生起されたときに該特別入球口が開状態と閉状態を取り得るように動作する特別開閉手段を有する特別入球手段と、前記当り判定手段の判定結果が肯定となったことによる第１当り遊技が生起された場合、該第１当り遊技の終了後に、前記所定の開条件が成立し易くなる入球率向上状態を特定回数の図柄変動ゲームを上限として付与可能に制御する遊技状態制御手段と、を備え、前記変動内容決定手段は、前記入球率向上状態が付与されている場合には、前記入球率向上状態が付与されていない場合よりも変動時間が長い変動内容を決定し易く、前記第２当り遊技において前記特別開閉手段が開状態とされる１回の開放時間の少なくとも一部は、前記所定の開条件が成立することにより前記特殊開閉手段が開状態とされる１回の開放時間の一部と同じと特定可能なように規定されていることを要旨とする。
【００１０】
上記遊技機について、前記特殊入球口に入球する遊技球の上限個数が規定されており、前記特殊開閉手段が動作可能な単位期間内に前記特殊入球口に上限個数の遊技球が入球したら前記特殊開閉手段の動作が終了され、前記特別入球口に入球する遊技球の上限個数が規定されており、前記特別開閉手段が動作可能な単位期間内に前記特別入球口に上限個数の遊技球が入球したら前記特別開閉手段の動作が終了され、前記特殊開閉手段が動作可能な単位期間内に前記特殊開閉手段が開状態とされる合計開放時間には、前記特殊入球口に上限個数の遊技球が入球困難となる開放時間が規定されており、前記特別開閉手段が動作可能な単位期間内に前記特別開閉手段が開状態とされる合計開放時間には、前記特別入球口に上限個数の遊技球が入球困難となる開放時間が規定されている構成としてもよい。
【００１１】
上記遊技機について、遊技球が入球可能であり、遊技球が入球することで図柄変動ゲームの実行条件となり得る始動手段と、普通実行条件の成立により、普通図柄を変動させて表示する普通図柄変動ゲームが普通当りとなるか否かを判定する普通当り判定手段と、遊技球が入球可能な普通入球口、前記普通図柄変動ゲームにおいて予め定めた普通当り表示結果が表示された場合に該普通入球口が開状態と閉状態を取り得るように動作する開閉手段を有する可変入球手段と、を備え、前記特殊開閉手段は、前記普通入球口への遊技球の入球に起因して前記特殊入球口が開状態と閉状態を取り得るように動作し、前記入球率向上状態が付与されている場合には、前記入球率向上状態が付与されていない場合と比べて前記普通入球口に遊技球が入球し易くなるように開状態を取り易くなる構成としてもよい。
【発明の効果】
【００１２】
本発明によれば、斬新な遊技性を提供することができ、遊技に対する興趣の向上を図ることができる。
【図面の簡単な説明】
【００１３】
【図１】パチンコ遊技機の機表側を示す正面図。
【図２】（ａ）及び（ｂ）は、大当り遊技の種類を示す模式図。
【図３】パチンコ遊技機の電気的構成を示すブロック図。
【図４】変動パターンを示す模式図。
【図５】特別図柄開始処理を示すフローチャート。
【図６】特別図柄変動中処理を示すフローチャート。
【図７】役物ゲーム制御処理を示すフローチャート。
【図８】（ａ）〜（ｃ）は、第１大入賞口の開放態様を示す模式図。
【図９】（ａ）〜（ｈ）は、演出表示装置の表示態様を説明する模式図。
【図１０】（ａ）〜（ｈ）は、演出表示装置の表示態様を説明する模式図。
【図１１】パチンコ遊技機において行なわれる演出制御を示すタイミングチャート。
【発明を実施するための形態】
【００１４】
以下、図１〜図１１を参照して本発明をパチンコ遊技機に具体化した実施形態について説明する。
図１に示すように、パチンコ遊技機の遊技盤１０には、複数の発光部を有する表示手段としての特別図柄表示装置１２が配設されている。この特別図柄表示装置１２では、複数種類の図柄（特別図柄）を変動させて表示する変動ゲーム（図柄変動ゲーム）が行われる。
【００１５】
本実施形態において特別図柄表示装置１２には、複数種類の特別図柄の中から、当り抽選の抽選結果に対応する１つの特別図柄が選択され、その選択された特別図柄が変動ゲームの終了によって停止表示される。特別図柄には、大当りを認識し得る大当り図柄と、はずれを認識し得るはずれ図柄とに分類される。大当り図柄（大当り表示結果）が停止表示された場合、遊技者には、大当り遊技が付与される。
【００１６】
また、遊技盤１０には、特別図柄表示装置１２とは別体で、画像を表示する報知手段及び演出実行手段としての演出表示装置１１が配設されている。この演出表示装置１１では、変動ゲームに関連する表示演出が行われる。表示演出として、具体的には、複数種類の飾り図柄を複数列で変動させる飾り変動ゲームが行われる。
【００１７】
演出表示装置１１には、各列毎に複数種類の飾り図柄が変動表示及び停止表示可能に構成されている。そして、演出表示装置１１は、特別図柄表示装置１２に比較して大きい表示領域で構成されるとともに、飾り図柄は特別図柄に比較して遥かに大きく表示される。このため、遊技者は、演出表示装置１１に停止表示された図柄組み合わせから大当り又ははずれを認識できる。演出表示装置１１に停止表示された全列の図柄が同一種類の場合には、その図柄組み合わせから大当り遊技が付与される大当りを認識できる。この大当りを認識できる図柄組み合わせが飾り図柄による大当りの図柄組み合わせとなる。一方、演出表示装置１１に停止表示された全列の図柄が同一種類でない場合には、その図柄組み合わせからはずれを認識できる。このはずれを認識できる図柄組み合わせが飾り図柄によるはずれの図柄組み合わせ（はずれ表示結果）となる。
【００１８】
また、本実施形態において、演出表示装置１１における各列は、変動ゲームが開始すると、予め定めた変動方向（縦スクロール方向）に沿って飾り図柄が変動表示されるようになっている。そして、変動ゲームが開始すると（各列の飾り図柄が変動を開始すると）、演出表示装置１１において遊技者側から見て左列（左図柄）→右列（右図柄）→中列（中図柄）の順に飾り図柄が停止表示されるようになっている。そして、停止表示された左図柄と右図柄が同一種類の場合には、その図柄組み合わせ（［１↓１］など、「↓」は変動中を示す）からリーチ状態を認識できる。リーチ状態は、複数列のうち、特定列（本実施形態では左列と右列）の飾り図柄が同一種類となって停止表示され、かつ前記特定列以外の列（本実施形態では中列）の飾り図柄が変動表示されている状態である。このリーチ状態を認識できる図柄組み合わせが飾り図柄によるリーチの図柄組み合わせとなる。また、本実施形態では、変動ゲームの開始後、最初に飾り図柄を停止表示させる左列が第１停止表示列になるとともに、次に飾り図柄を停止表示させる右列が第２停止表示列になり、さらに最後に飾り図柄を停止表示させる中列が第３停止表示列となる。
【００１９】
また、演出表示装置１１には、特別図柄表示装置１２の表示結果に応じた図柄組み合わせが停止表示される。より詳しくは、特別図柄表示装置１２に停止表示される特別図柄と、演出表示装置１１に停止表示される飾り図柄による図柄組み合わせが対応する。例えば、特別図柄表示装置１２に大当り図柄が停止表示される場合には、演出表示装置１１にも大当りの図柄組み合わせが停止表示される。また、特別図柄表示装置１２にはずれ図柄が停止表示される場合には、演出表示装置１１にもはずれの図柄組み合わせが停止表示される。なお、特別図柄に対する飾り図柄の図柄組み合わせは一対一とは限らず、１つの特別図柄に対して複数の飾り図柄による図柄組み合わせの中から１つの飾り図柄による図柄組み合わせが選択される。
【００２０】
特別図柄表示装置１２の右には、複数個（本実施形態では２個）の特図保留発光部を有する特別図柄保留表示装置１３が配設されている。特別図柄保留表示装置１３は、機内部で記憶した変動ゲームにおける特図用の始動保留球の記憶数を遊技者に報知する。なお、以下、変動ゲームにおける特図用の始動保留球の記憶数を「保留記憶数」と示す。保留記憶数は、遊技盤１０に配設した始動入賞口１４に遊技球が入賞することで「１」加算される一方で、変動ゲームの開始により「１」減算される。したがって、変動ゲーム中に始動入賞口１４へ遊技球が入賞すると、保留記憶数は更に加算されるとともに、所定の上限数（本実施形態では「４」）まで累積される。
【００２１】
また、特別図柄保留表示装置１３の右には、複数個（本実施形態では２個）の普図発光部を有する普通図柄表示装置２０が配設されている。普通図柄表示装置２０では、複数種類の普通図柄を変動させて表示する普通図柄変動ゲームが行われる。普通図柄は、普通当りか否かの内部抽選（普通当り抽選）の結果を示す報知用の図柄であり、普通当り図柄（普通当り表示結果）が停止表示された場合、遊技者には、普通当り遊技が付与される。なお、以下、普通図柄を「普図」と示し、普通図柄変動ゲームを「普図ゲーム」と示す。また、この普図ゲームにおいても変動ゲームと同じように、遊技盤１０に配設した作動ゲート１９に遊技球が通過（入球）することで普図用の始動保留球（普図始動保留球）が記憶される。この普図始動保留球の記憶数（普図保留記憶数）は、作動ゲート１９への遊技球の通過により、所定の上限数（本実施形態では「４」）を上限として「１」加算される一方で、普図ゲームの開始により「１」減算される。
【００２２】
また、本実施形態においては、変動ゲーム及び普図ゲームとは別に、普通電動入賞口１５に遊技球が入賞したことを条件として開放状態となる第１大入賞口２４に入賞した遊技球が図示しない特殊通過領域を通過するか否かの役物抽選が行われる役物抽選ゲーム（以下、「役物ゲーム」と示す）が実行される。そして、役物抽選に当選した場合には、第１大入賞口２４が閉鎖状態となった後に遊技者に大当り遊技が付与される。なお、本実施形態において、第１大入賞口２４が所定回数（例えば１回）開放状態となってから閉鎖状態となるまでを役物ゲームとする。
【００２３】
また、本実施形態において、原則として、変動ゲームと役物ゲームとが同時に実行されるように構成されている。その一方で、例外として、役物ゲームにおける役物抽選の当選による大当り遊技が開始すると、変動ゲームの実行中であった場合には、その変動ゲームの実行が中断され、役物ゲームにおける役物抽選の当選による大当り遊技が終了すると、中断されていた変動ゲームが再開される。また、変動ゲームにおける大当り抽選の当選による大当り遊技の実行中においては、第１大入賞口２４が開放されないように制御することによって、役物ゲームが実行されない。なお、本実施形態において、変動ゲームにおける大当り抽選の当選による大当り遊技の実行中に特殊通過領域を遊技球が通過した場合には、その特殊通過領域への遊技球の通過が無効として特定される。このため、変動ゲームにおける大当り遊技と役物ゲームにおける大当り遊技とが重複して実行されないように制御される。また、普図ゲームは、変動ゲーム及び役物ゲームと同時に実行可能である。
【００２４】
演出表示装置１１の下方には、遊技球の入賞口１４ａを有する始動入賞口１４が配設されている。始動手段としての始動入賞口１４の奥方には入賞した遊技球を検知する始動口スイッチＳＷ２（図３に示す）が配設されている。始動入賞口１４は、入賞した遊技球を始動口スイッチＳＷ２で検知することにより、変動ゲームの始動条件（実行条件）と予め定めた個数の賞球としての遊技球の払出条件を付与し得る。なお、本実施形態のパチンコ遊技機において、図示しない発射ハンドルの発射操作に応じて発射された遊技球が符号Ｘに示すように遊技盤１０の左側から転動したときには、符号Ｙに示すように遊技球が遊技盤１０の右側から転動したときよりも始動入賞口１４に入賞し易くなるように、障害釘等が配設されている。つまり、始動入賞口１４は、遊技盤１０の左側を主とする第１流路Ｘに設けられている。
【００２５】
演出表示装置１１の右には、作動ゲート１９が配設されている。作動ゲート１９の奥方には、通過した遊技球を検知するゲートスイッチＳＷ１（図３に示す）が配設されている。作動ゲート１９は、通過した遊技球をゲートスイッチＳＷ１で検知することにより、普図ゲームの普通始動条件（普通実行条件）を付与し得る。普図ゲームは、普通電動役物としての普通電動入賞口１５の開閉羽根１６を開放状態とするか否かの抽選結果を導出するために行われる演出である。即ち、普通当り抽選に当選すると、開閉羽根１６の開放によって普通電動入賞口１５に遊技球を入賞させ易くなる。
【００２６】
また、演出表示装置１１の右には、作動ゲート１９の下方に、遊技球の作動口１５ａ（普通入球口）を有する普通電動入賞口１５が配設されている。可変入球手段としての普通電動入賞口１５は普通電動役物とされ、普通電動役物ソレノイドＳＯＬ１（図３に示す）の作動により開閉動作を行う開閉羽根１６を備えている。普通電動入賞口１５は、開閉手段としての開閉羽根１６の開動作により普通入球口及び特定通過領域としての作動口１５ａが開放されることで遊技球の入賞が許容される。つまり、普通電動入賞口１５は、開閉羽根１６の開動作により開状態（第１状態）とされたときには、閉状態（第２状態）とされたときよりも作動口１５ａに遊技球が入賞（入球）し易くなる。そして、普通電動入賞口１５の奥方には入賞した遊技球を検知する作動口スイッチＳＷ３（図３に示す）が配設されている。普通電動入賞口１５は、入賞した遊技球を作動口スイッチＳＷ３で検知することにより、特段の抽選を行うことなく、第１大入賞口２４の開放条件と予め定めた個数の賞球としての遊技球の払出条件を付与し得る。なお、本実施形態において、符号Ｘに示すように遊技球が遊技盤１０の左側から転動したときには、符号Ｙに示すように遊技盤１０の右側から転動したときよりも、普通電動入賞口１５に入賞し難くなるように、障害釘等が配設されている。つまり、普通電動入賞口１５は、遊技盤１０の右側を主とする第２流路Ｙに設けられている。
【００２７】
また、演出表示装置１１の右には、作動ゲート１９の下方に、遊技球が入賞可能な特殊入賞口２４ａ（特殊入球口）を有する第１大入賞口２４が配設されており、第１大入賞口ソレノイドＳＯＬ２（図３に示す）の作動により開閉動作を行う第１大入賞口羽根２３を備えている。特殊入賞口２４ａの奥方には、入賞した遊技球を検知する第１カウントスイッチＳＷ４（図３に示す）が配設されている。特殊入球手段としての第１大入賞口２４は、入賞した遊技球を検知することにより、予め定めた個数の賞球としての遊技球の払出条件を付与し得る。第１大入賞口２４は、普通電動入賞口１５における作動口１５ａに遊技球が入賞すると、特殊開閉手段としての第１大入賞口羽根２３の開動作によって開放されることで遊技球の入賞が許容される。このため、普通電動入賞口１５に遊技球が入賞すると、遊技者は、賞球を獲得できる機会を得ることができる。
【００２８】
普通電動入賞口１５に遊技球が入賞すると、第１大入賞口２４の開閉が所定回数（本実施形態では１回）行われ、第１大入賞口２４に規定個数（入賞上限個数、第１上限個数）の遊技球が入賞する迄の間、又は規定時間（本実施形態では１．０ｓ）が経過するまでの間、開閉される。
【００２９】
また、第１大入賞口２４の奥方には、図示しない特殊通過領域と、図示しない複数の一般通過領域（本実施形態では４つ）とが分岐流路として並列に形成されている。各通過領域は、第１大入賞口２４に入賞した遊技球が通過可能に形成されている。また、特殊通過領域には、通過した遊技球を検知する特殊通過スイッチＳＷ６（図３に示す）が配設されており、第１大入賞口２４が開放状態となり、第１大入賞口２４に入賞した遊技球が特殊通過領域を通過すると、変動ゲームにおいて大当り遊技が行われていなければ、役物ゲームにおける大当り遊技が付与される。なお、本実施形態において、第１大入賞口２４に入賞した遊技球が特殊通過領域を通過する確率としては、約１／５となっている。
【００３０】
このように、役物ゲームにおける大当り遊技は、役物ゲームにおいて第１大入賞口２４における特殊通過領域への遊技球の通過することで役物抽選に当選し、第１大入賞口２４が閉鎖状態となった後に開始される。そして、役物ゲームにおける大当り遊技中に、第１大入賞口羽根２３の開動作によって開放されることで遊技球の入賞が許容され、遊技者は、賞球を獲得できる機会を得ることができる。
【００３１】
また、第１大入賞口２４の下方には、遊技球が入賞可能な特別入賞口２２ａ（特別入球口）を有する第２大入賞口２２が配設されており、第２大入賞口ソレノイドＳＯＬ３（図３に示す）の作動により開閉動作を行う第２大入賞口扉２１を備えている。第２大入賞口２２の奥方には、入賞した遊技球を検知する第２カウントスイッチＳＷ５（図３に示す）が配設されている。特別入球手段としての第２大入賞口２２は、入賞した遊技球を検知することにより、予め定めた個数の賞球としての遊技球の払出条件を付与し得る。
【００３２】
このように、変動ゲームにおける大当り遊技は、大当り抽選の結果に基づいて大当りに当選し、特別図柄表示装置１２の変動ゲームで大当り図柄が確定停止表示されて該ゲームの終了後に開始される。そして、変動ゲームにおける大当り遊技中に、特別開閉手段としての第２大入賞口扉２１の開動作によって開放されることで遊技球の入賞が許容され、遊技者は、賞球を獲得できる機会を得ることができる。
【００３３】
大当り遊技が開始すると、各大入賞口２２，２４が開放されるラウンド遊技が予め定めた規定ラウンド数（上限ラウンド数）を上限として複数回行われる。１回のラウンド遊技は、各大入賞口２２，２４の開閉が所定回数（本実施形態では１回）行われる迄であり、１回のラウンド遊技中に各大入賞口２２，２４に、規定個数（入賞上限個数）の遊技球が入賞する迄の間、又は規定時間（ラウンド遊技時間）が経過するまでの間、開放される。そして、規定ラウンド数のラウンド遊技が終了すると、大当り遊技の終了を示すエンディング演出が行われ、大当り遊技は終了される。
【００３４】
また、大当り遊技の終了後には、変動短縮状態（以下、「変短状態」と示す）が付与される場合がある。この変短状態では、開閉羽根１６を開動作させるか否かの抽選結果を導出する普図ゲームの変動時間が、非変短状態と比較して短縮される。また、変短状態では、普通当り抽選に当選した際、非変短状態とは異なる動作パターンで開閉羽根１６が開閉動作するようになっている。なお、本実施形態において、非変短状態で普通当り抽選に当選する場合には、開閉羽根１６が短開放態様で開放する一方で、変短状態で普通当り抽選に当選する場合には、開閉羽根１６が長開放態様で開放する。つまり、開閉羽根１６は、変短状態では、非変短状態と比較して、１回の普通当りに対応する合計開放時間が長く、遊技者にとって有利に動作するように設定されている。このため、変短状態は、開閉羽根１６が開放状態に動作し易い入球率向上状態であり、変動ゲームが実行され易くなる傾向がある。
【００３５】
また、変短状態は、大当りの種類により、大当り遊技の終了後、役物ゲームに拘わらず、予め定めた回数（特定回数、本実施形態では２回）の変動ゲームを上限として付与される場合がある。なお、普通当りとなった場合に開閉羽根１６が開放されるが、閉鎖する前であっても、入賞上限個数の遊技球が入賞したときには、開閉羽根１６は閉鎖するようになっている。
【００３６】
なお、本実施形態におけるパチンコ遊技機での仕様は以下の通りである。飾り図柄としては［１］〜［８］の８種類の数字が採用されており、大当り図柄としては［１１１］［２２２］［３３３］［４４４］［５５５］［６６６］［７７７］［８８８］が採用されている。また、当りの当選確率としては、３２９／６５５３６が、普通当りの当選確率としては、２１８４５／６５５３６がそれぞれ規定されている。また、パチンコ遊技機における図示しない払出操作からの遊技球の賞球数としては、始動入賞口１４及び普通電動入賞口１５に対して３個が、第１大入賞口２４及び第２大入賞口２２に対して１５個がそれぞれ規定されている。また、開閉羽根１６の短開放態様としては、開閉羽根１６が１回開放し、開放してから４０ｍｓ経過するまで開放状態を維持する態様が規定されている。また、開閉羽根１６の長開放態様としては、開閉羽根１６が３回開放し、開放してから１ｓ経過するまで開放状態を維持し、各開放の間にはインターバル時間として０．５ｓが規定されている。また、開閉羽根１６の閉鎖条件である入賞上限個数としては、「１０球」が規定されている。また、各ラウンド遊技では、第１大入賞口２４又は第２大入賞口２２の開放回数として「１回」が、入賞上限個数として「８球」が、それぞれ設定されている。また、特別図柄表示装置１２には、１０１種類の特図があり、１００種類の大当り図柄と、１種類のはずれ図柄とに分類される。
【００３７】
次に、図２に示すように、本実施形態のパチンコ遊技機に規定する大当り遊技について以下に説明する。
図２（ａ）に示すように、本実施形態のパチンコ遊技機では、変動ゲームにおいて、大当り抽選に当選した場合に、２種類の大当りの中から１つの当りが決定され、その決定された大当りに対応する大当り遊技が付与されるようになっている。本実施形態において特別図柄表示装置１２に確定停止表示される１００種類の特図の大当り図柄は、大当りの種類毎に分類される。
【００３８】
そして、特別図柄表示装置１２に確定停止表示される当り図柄のうち、図柄ＺＡには５０種類の大当り図柄が、図柄ＺＢには５０種類の大当り図柄が、それぞれ振分けられている。このように、特別図柄表示装置１２に確定停止表示される特図の種類から大当りの種類が特定可能となる。
【００３９】
図柄ＺＡ又は図柄ＺＢに分類される大当り図柄が特別図柄表示装置１２に確定停止表示されたときには、大当り遊技が生起される。この場合における大当り遊技では、第２大入賞口２２を開放させるラウンド遊技が規定されており、ラウンド遊技の規定ラウンド数が「１６回」に設定されている。
【００４０】
各ラウンド遊技の最大時間として各大当り遊技で「２５ｓ」が、各ラウンド遊技における第２大入賞口２２の開放回数として「１回」が、１回のラウンド遊技の入賞上限個数として「８球」が、それぞれ設定されている。また、各大当り遊技で、オープニング時間として「１０ｓ」が、各ラウンド間のインターバル時間（ラウンド間インターバル）として「２ｓ」が、エンディング時間として「１５ｓ」が、それぞれ設定されている。
【００４１】
また、変動ゲームにおいて、図柄ＺＡに分類される大当り図柄が特別図柄表示装置１２に確定停止表示されたときに付与される大当り遊技は、大当り遊技の終了後に、「２回」の変動ゲームを上限として変短状態が付与されるようになっている。その一方で、図柄ＺＢに分類される大当り図柄が特別図柄表示装置１２に確定停止表示されたときに付与される大当り遊技は、大当り遊技の終了後に、変短状態が付与されないようになっている。このように、変動ゲームでは、大当り抽選に当選した場合には、１／２の確率で、大当り遊技の終了後に変短状態が付与され、１／２の確率で、大当り遊技の終了後に変短状態が付与されないようになっている。つまり、大当り抽選の当選による大当り遊技を介して、非変短状態から変短状態に突入する変短突入率が５０％となっている。
【００４２】
その一方で、図２（ｂ）に示すように、本実施形態のパチンコ遊技機では、役物ゲームにおいて、役物抽選に当選した場合に、３種類の大当りのうち何れかに対応する大当り遊技が付与されるようになっている。
【００４３】
役物抽選に当選したときにおける大当り遊技では、第１大入賞口２４を開放させるラウンド遊技が規定されており、各大当り遊技毎にラウンド遊技の規定ラウンド数が異なるように設定されている。なお、本実施形態において、大当り遊技の種類は、普通電動入賞口１５における作動口１５ａへの遊技球の入賞により決定される。そして、特殊通過領域を遊技球が通過したことによって、その決定された大当り遊技の種類が確定される。一方、特殊通過領域を遊技球が通過しなかった場合には、その決定が無効とされる。
【００４４】
具体的に、役物ゲームにおける１６ラウンド大当り遊技では、ラウンド遊技の規定ラウンド数が「１５回」に設定されている。このため、普通電動入賞口１５における作動口１５ａへの遊技球の入賞による第１大入賞口２４の開放を１ラウンドとして、役物ゲームにおける役物抽選の当選による第１大入賞口２４の開放を連続させた大当り遊技は、ラウンド遊技の規定ラウンド数が実質的に「１６回」に設定されているといえる。また、役物ゲームにおける８ラウンド大当り遊技では、ラウンド遊技の規定ラウンド数が「７回」に設定されており、ラウンド遊技の規定ラウンド数が実質的に「８回」に設定されているといえる。また、役物ゲームにおける２ラウンド大当り遊技では、ラウンド遊技の規定ラウンド数が「１回」に設定されており、ラウンド遊技の規定ラウンド数が実質的に「２回」に設定されているといえる。
【００４５】
また、役物ゲームでは、役物抽選に当選した場合には、７０／１００の確率で、１６ラウンド大当り遊技が付与され、１０／１００の確率で、８ラウンド大当り遊技が付与され、２０／１００の確率で、２ラウンド大当り遊技が付与されるようになっている。
【００４６】
各ラウンド遊技の最大時間として各大当り遊技で「１ｓ」が、各ラウンド遊技における第２大入賞口２２の開放回数として「１回」が、１回のラウンド遊技の入賞上限個数（第２上限個数）として「８球」が、それぞれ設定されている。また、各大当り遊技で、オープニング時間として「０．００４ｓ」が、各ラウンド間のインターバル時間（ラウンド間インターバル）として「０．５ｓ」が、エンディング時間として「７．４９６ｓ」が、それぞれ設定されている。
【００４７】
また、役物ゲームにおいて、役物抽選に当選したときに付与される大当り遊技は、大当り遊技の種類に拘わらず、当選時の遊技状態が継続される。つまり、役物抽選に当選したことを契機としては、変短状態が付与されることや変短状態の付与が終了することがない。
【００４８】
このように、非変短状態では、開閉羽根１６が短開放態様で開放状態となるため、普通電動入賞口１５に遊技球が入賞し難く、始動入賞口１４に遊技球を入賞させ、変動ゲームを主に実行させるように遊技が進行される。したがって、非変短状態では、約１／１９９の確率で大当りに当選することとなる。
【００４９】
その一方で、変短状態では、開閉羽根１６が長開放態様で開放状態となるため、普通電動入賞口１５に遊技球が入賞し易く、普通電動入賞口１５に遊技球を入賞させ、役物ゲームを主に実行させるように遊技が進行される。したがって、普図ゲームにおいて普通当りとなり、普通電動入賞口１５が開放状態となる確率が約１／３、第１大入賞口２４に入賞した遊技球が特殊通過領域を通過する確率が約１／５となっており、約１／１５の確率で大当りとなる。
【００５０】
次に、図３を参照してパチンコ遊技機の制御構成について説明する。
本実施形態のパチンコ遊技機の機裏側には、パチンコ遊技機全体を制御する主制御基板３０が配設されている。主制御手段としての主制御基板３０は、パチンコ遊技機全体を制御するための各種処理を実行するとともに、該処理結果に応じた各種の制御信号（制御コマンド）を出力する。また、機裏側には、演出制御基板３１が配設されている。演出制御手段及び報知制御手段としての演出制御基板３１は、主制御基板３０が出力した制御信号（制御コマンド）に基づいて、演出表示装置１１の表示態様（図柄、各種背景画像、文字、キャラクタなどの表示画像など）を制御する。
【００５１】
主制御基板３０には、制御動作を所定の手順で実行する主制御用ＣＰＵ３０ａと、主制御用ＣＰＵ３０ａのメイン制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ６が遊技球を検知して出力する検知信号を入力可能に接続されている。また、主制御用ＣＰＵ３０ａには、特別図柄表示装置１２、特別図柄保留表示装置１３、及び普通図柄表示装置２０が接続されている。また、主制御用ＣＰＵ３０ａには、普通電動役物ソレノイドＳＯＬ１、第１大入賞口ソレノイドＳＯＬ２、及び第２大入賞口ソレノイドＳＯＬ３が接続されている。
【００５２】
また、主制御用ＣＰＵ３０ａは、当り判定用乱数、特図振分乱数、リーチ判定用乱数、及び変動パターン決定用乱数の値などの各種乱数の値を所定の周期毎に更新する乱数更新処理（乱数生成処理）を実行する。当り判定用乱数は、当り抽選（当り判定）で用いる乱数である。特図振分乱数は、当り図柄となる特図の決定で用いる乱数である。リーチ判定用乱数は、大当り抽選で大当りに当選しなかった場合、すなわちはずれの場合にリーチを形成するか否かのリーチ抽選（リーチ判定）で用いる乱数である。変動パターン決定用乱数は、変動パターンの決定で用いる乱数である。また、主制御用ＲＡＭ３０ｃには、パチンコ遊技機の動作中に適宜書き換えられる各種情報（乱数値、タイマ値、フラグなど）が記憶（設定）される。例えば、主制御用ＲＡＭ３０ｃには、普図ゲームにおいて普通当りとなるか否かを判定する場合に用いる普通当り判定用乱数が記憶されている。
【００５３】
主制御用ＲＯＭ３０ｂには、メイン制御プログラム、各種の判定値（当り判定値など）が記憶されている。当り判定値は、当り抽選で用いる判定値であり、当り判定用乱数の取り得る数値の中から定められている。
【００５４】
また、主制御用ＲＯＭ３０ｂには、変動ゲームに関する複数種類の変動パターンが記憶されている。これらの変動パターンは、変動ゲームが開始してから変動ゲームが終了するまでの間の演出（遊技演出）のベースとなるパターンであって、変動ゲームの変動時間（演出時間）を特定（指定）することができ、変動ゲームの変動内容（演出内容）も特定し得る。本実施形態において、複数種類の変動パターンは、大当り変動用変動パターン、はずれリーチ変動用変動パターン、及びはずれ変動用変動パターンに分類できる。大当り変動は、大当り遊技が付与されると決定された場合に行われる変動であり、演出表示装置１１では、リーチ演出を経て、変動ゲームが最終的に当り図柄を確定停止表示させるように展開される演出が実行される。はずれリーチ変動は、大当り遊技が付与されないと決定された場合に行われる変動であり、演出表示装置１１では、リーチ演出を経て、変動ゲームが最終的にはずれ図柄を確定停止表示させるように展開される演出が実行される。はずれ変動は、大当り遊技が付与されないと決定された場合に行われる変動であり、演出表示装置１１では、リーチ演出を経ないで、変動ゲームが最終的にはずれ図柄を確定停止表示させるように展開される演出が実行される。
【００５５】
演出制御基板３１には、制御動作を所定の手順で実行する演出制御用ＣＰＵ３１ａと、演出制御用ＣＰＵ３１ａの演出制御プログラムを格納する演出制御用ＲＯＭ３１ｂと、必要なデータの書き込み及び読み出しができる演出制御用ＲＡＭ３１ｃが設けられている。演出制御用ＲＯＭ３１ｂには、各種の画像データ（図柄、各種背景画像、文字、キャラクタなどの画像データ）が記憶されている。演出制御用ＲＡＭ３１ｃには、パチンコ遊技機の動作中に適宜書き換えられる各種情報（乱数値、タイマ値、フラグなど）が記憶（設定）される。また、演出制御用ＣＰＵ３１ａには、演出表示装置１１が接続されている。演出制御用ＣＰＵ３１ａは、各種制御コマンドを入力すると、表示制御プログラムに基づいて各種制御を実行する。
【００５６】
ここで、図４を参照して本実施形態のパチンコ遊技機における変動パターンについて説明する。
本実施形態では、図４に示すように、変動パターンとして、変動ゲームの変動時間を指定する変動パターンが設定されている。具体的な一例としては、変動時間として、変動パターンＰ０１が１２ｓに、変動パターンＰ０２が３ｓにそれぞれ規定されている。また、変動パターンＰ１１が１ｓに、変動パターンＰ２１が６０ｓに、変動パターンＰ２２が１２０ｓに、変動パターンＰ２３が１８０ｓに、変動パターンＰ２４が２４０ｓに、変動パターンＰ２５が３００ｓにそれぞれ規定されている。特に、変動パターンＰ１１は、変動パターンＰ０１，Ｐ０２よりも短い変動時間として規定されており、変動パターンＰ２１〜Ｐ２５は、変動パターンＰ０１，Ｐ０２よりも長い変動時間として規定されている。
【００５７】
これら変動パターンは、主に、大当り遊技が付与されるか否か、はずれとなる場合においてリーチ演出を実行するか否かによって選択される。具体的には、変動パターンＰ０４，Ｐ３１が大当り変動用の変動パターンとして規定されている。また、変動パターンＰ０３がはずれリーチ変動用の変動パターンとして、変動パターンＰ０１，Ｐ０２，Ｐ１１，Ｐ２１〜Ｐ２５がはずれ変動用の変動パターンとして規定されている。
【００５８】
また、変動パターンＰ０２は、変動パターンＰ０１の変動時間を短縮させる変動パターンであり、変動パターンＰ０１と比較して、左列及び右列の図柄（飾り図柄）が一旦停止表示されるまでの時間を短縮された変動パターンであり、右列の図柄が一旦停止表示されてから変動ゲームが終了するまでは同じ演出が実行されることとなる。なお、変動パターンＰ０１，Ｐ０２は、保留記憶数に応じて何れかが決定される変動パターンであり、保留記憶数が大きくなるにつれて、変動パターンＰ０２が決定され易くなる。なお、変動パターンＰ０１，Ｐ０２は、変動パターンＰ０３や変動パターンＰ０４と比較して選択され易く、それらのうちで最も選択され易い変動パターンである。
【００５９】
また、これら変動パターンは、変短状態が付与されているときと、変短状態が付与されていない通常状態（非変短状態）であるときとに分類される。変動パターンＰ０１〜Ｐ０４は、通常状態であるときに選択される変動パターンであり、変動パターンＰ１１，Ｐ２１〜Ｐ２５，Ｐ３１は、変短状態であるときに選択される変動パターンである。
【００６０】
また、変短状態において選択される変動パターンには、特殊条件によって、選択可能な変動パターンが異なる。この特殊条件とは、大当り遊技の終了後に変短状態が付与されている場合に、その大当り遊技の終了後に実行された変動ゲームの実行回数によって異なる。具体的に、大当り遊技の終了後、１回目の変動パターンにおいて、はずれ変動用の変動パターンが選択される場合には、変動時間が１ｓとなる変動パターンＰ１１が選択される。その一方で、大当り遊技の終了後、２回目の変動パターンにおいて、はずれ変動用の変動パターンが選択される場合には、変動時間が６０ｓ以上となる変動パターンＰ２１〜Ｐ２５が選択される。
【００６１】
なお、本実施形態において、変短状態において選択される変動パターンとしては、大当り変動用の変動パターンが選択される場合には、特殊条件に拘わらず、変動時間が１ｓとなる変動パターンＰ３１が選択される。また、変短状態において選択される変動パターンとしては、はずれリーチ変動用の変動パターンが規定されていない。
【００６２】
次に、主制御基板３０の主制御用ＣＰＵ３０ａが、メイン制御プログラムに基づいて実行する特別図柄入力処理、特別図柄開始処理、特別図柄変動中処理、普通図柄入力処理、普通図柄開始処理、役物ゲーム制御処理などの各種処理について以下に説明する。本実施形態において主制御用ＣＰＵ３０ａは、所定の制御周期（本実施形態では、４ｍｓ）毎に各種処理を実行する。なお、本実施形態では、以下に説明する各種処理を実行する主制御用ＣＰＵ３０ａが当り判定手段、変動内容決定手段、普通当り判定手段、遊技状態制御手段、中断手段、再開手段として機能する。
【００６３】
まず、特別図柄入力処理について以下に説明する。
最初に、主制御用ＣＰＵ３０ａは、始動口スイッチＳＷ２から検知信号を入力しているか否かに基づいて、始動入賞口１４に遊技球が入賞したか否かを判定する。この判定結果が肯定の場合、主制御用ＣＰＵ３０ａは、主制御用ＲＡＭ３０ｃに記憶されている保留記憶数が上限数の「４」未満であるか否かを判定する。保留記憶数が「４」未満である場合、主制御用ＣＰＵ３０ａは、保留記憶数を「１」加算する。保留記憶数を更新（「１」加算）した主制御用ＣＰＵ３０ａは、更新後（加算後）の保留記憶数を表示するように特別図柄保留表示装置１３の表示内容を制御する。次に、主制御用ＣＰＵ３０ａは、各種乱数の値（本実施形態では当り判定用乱数の値など）を主制御用ＲＡＭ３０ｃから読み出して取得し、該値を保留記憶数に対応する主制御用ＲＡＭ３０ｃの所定の記憶領域に設定する。また、主制御用ＣＰＵ３０ａは、保留記憶数を指定する保留指定コマンドを演出制御基板３１に出力する。その後、主制御用ＣＰＵ３０ａは、特別図柄入力処理を終了する。
【００６４】
次に、図５を参照して特別図柄開始処理について説明する。
最初に、図５に示すように、主制御用ＣＰＵ３０ａは、主制御用ＲＡＭ３０ｃに割り当てられた特図制御フラグが「０」であるか否かを判定する（ステップＳ１１）。この特図制御フラグは、特別図柄表示装置１２における変動ゲームの変動状態を示すものであり、変動ゲームが実行可能である場合には「０」が、変動ゲームが実行中である場合には「１」が、変動ゲームが終了した場合には「２」が、それぞれ設定される。つまり、主制御用ＣＰＵ３０ａは、変動ゲームが実行されておらず、新たな変動ゲームが実行可能であることを判定することとなる。この判定結果が否定（特図制御フラグが「０」ではない）の場合、主制御用ＣＰＵ３０ａは、特別図柄開始処理を終了する。その一方で、判定結果が肯定（特図制御フラグが「０」である）の場合、主制御用ＣＰＵ３０ａは、ステップＳ１２に移行する。
【００６５】
ステップＳ１２において、主制御用ＣＰＵ３０ａは、主制御用ＲＡＭ３０ｃに割り当てられたシステムフラグが「０」であるか否かを判定する。このシステムフラグは、変動ゲームの結果に基づく大当り遊技、又は役物ゲームの結果に基づく大当り遊技が実行中であるか否かを示すものであり、実行中である場合には「１」が、実行中ではない場合には「０」が、それぞれ設定される。なお、変動ゲームにおいて大当り遊技が実行中である場合には本処理を実行しないため、主制御用ＣＰＵ３０ａは、役物ゲームにおいて大当り遊技が行われているか否かを判定することとなる。この判定結果が否定（システムフラグが「０」ではない）の場合、主制御用ＣＰＵ３０ａは、特別図柄開始処理を終了する。
【００６６】
その一方で、この判定結果が肯定（システムフラグが「０」である）の場合、主制御用ＣＰＵ３０ａは、主制御用ＲＡＭ３０ｃに記憶されている保留記憶数を読み出し（ステップＳ１３）、保留記憶数が「０」よりも大きいか否かを判定する保留判定処理を実行する（ステップＳ１４）。主制御用ＣＰＵ３０ａは、保留記憶数が「０」である場合、特別図柄開始処理を終了する。その一方で、主制御用ＣＰＵ３０ａは、保留記憶数が「１」以上の場合、特図制御フラグに「１」を設定し（ステップＳ１５）、変動ゲームが実行中となったことを特定可能とする。そして、主制御用ＣＰＵ３０ａは、保留記憶数を「１」減算し（ステップＳ１６）、更新後（減算後）の保留記憶数を表示するように特別図柄保留表示装置１３の表示内容を制御する。続いて、主制御用ＣＰＵ３０ａは、保留記憶数を指定する保留指定コマンドを演出制御基板３１に出力し、ステップＳ１７に移行する。
【００６７】
ステップＳ１７において、主制御用ＣＰＵ３０ａは、保留記憶数に対応付けられて主制御用ＲＡＭ３０ｃの所定の記憶領域に記憶されている当り判定用乱数の値を読み出す。続いて、主制御用ＣＰＵ３０ａは、保留記憶数に対応付けられた当り判定用乱数の値と大当り判定値を比較し、両値が一致するか否かの大当り判定をする（ステップＳ１８）。
【００６８】
この大当り判定の判定結果が肯定の場合、主制御用ＣＰＵ３０ａは、大当りとなる変動ゲームであることを示す第１大当りフラグに「１」を設定し（ステップＳ１９）、ステップＳ２０に移行する。ステップＳ２０において、主制御用ＣＰＵ３０ａは、保留記憶数に対応付けられた特図振分乱数の値を主制御用ＲＡＭ３０ｃから読み出し、該特図振分乱数の値に基づいて、特別図柄表示装置１２に確定停止表示させる特図（最終停止図柄）として大当り図柄を決定する。続いて、主制御用ＣＰＵ３０ａは、保留記憶数に対応付けられた変動パターン決定用乱数の値と、変短状態が付与されているか否かを示す作動フラグの値とを主制御用ＲＡＭ３０ｃから読み出し、該変動パターン決定用乱数の値と、作動フラグとに基づいて、変動ゲームにおける大当り変動用の変動パターンを決定する（ステップＳ２１）。その後、主制御用ＣＰＵ３０ａは、ステップＳ２２に移行する。
【００６９】
その一方で、上記大当り判定の判定結果が否定の場合、主制御用ＣＰＵ３０ａは、当り判定用乱数の値が大当りとなる値ではないことからはずれを特定する。そして、主制御用ＣＰＵ３０ａは、保留記憶数に対応付けられたリーチ判定用乱数の値を読み出すとともに、リーチ判定用乱数の値とリーチ判定値を比較し、両値が一致するか否かのリーチ判定を行う（ステップＳ２３）。なお、リーチ判定値としては、変短状態が付与されているか否か、減算後の保留記憶数によって異なる値が定められており、リーチ演出を実行させるか否かを決定する確率が異なる場合がある。特に、本実施形態において、変短状態である場合には、リーチ判定が肯定とならないように規定されている。
【００７０】
このリーチ判定の判定結果が肯定の場合、主制御用ＣＰＵ３０ａは、リーチ判定に当選したことから、特別図柄表示装置１２に確定停止表示させる特図としてはずれ図柄を決定する（ステップＳ２４）。そして、主制御用ＣＰＵ３０ａは、保留記憶数に対応付けられた変動パターン決定用乱数の値と、作動フラグの値とを主制御用ＲＡＭ３０ｃから読み出し、該変動パターン決定用乱数の値と、作動フラグとに基づいて、はずれリーチ変動用の変動パターンを決定する（ステップＳ２５）。その後、主制御用ＣＰＵ３０ａは、ステップＳ２２に移行する。
【００７１】
その一方で、リーチ判定の判定結果が否定の場合、主制御用ＣＰＵ３０ａは、リーチ判定に当選しなかったことから、特別図柄表示装置１２に確定停止表示させる特図としてはずれ図柄を決定する（ステップＳ２６）。そして、主制御用ＣＰＵ３０ａは、保留記憶数に対応付けられた変動パターン決定用乱数の値と、作動フラグの値とを主制御用ＲＡＭ３０ｃから読み出し、該変動パターン決定用乱数の値と、作動フラグとに基づいて、はずれ変動用の変動パターンを決定する（ステップＳ２７）。その後、主制御用ＣＰＵ３０ａは、ステップＳ２２に移行する。
【００７２】
ステップＳ２２において、主制御用ＣＰＵ３０ａは、変動ゲームに係る各種処理を実行し、特別図柄開始処理を終了する。具体的には、主制御用ＣＰＵ３０ａは、主制御用ＲＡＭ３０ｃに割り当てられた変動タイマに、決定した変動パターンにより指定される変動時間を設定し、特別図柄表示装置１２における特図の変動制御を行う。
【００７３】
その後、特別図柄開始処理とは別の処理において、主制御用ＣＰＵ３０ａは、特別図柄開始処理において決定した決定事項にしたがって生成した制御コマンドを所定のタイミングで演出制御基板３１（演出制御用ＣＰＵ３１ａ）に出力する。具体的に、主制御用ＣＰＵ３０ａは、変動パターンを指示するとともに変動ゲームの開始を指示する変動パターン指定コマンドを変動ゲームの開始に際して最初に出力する。また、主制御用ＣＰＵ３０ａは、特図を指定する特図用の特図指定コマンドを変動パターン指定コマンドの出力後、次に出力する。また、主制御用ＣＰＵ３０ａは、特図の確定停止表示に際して全図柄停止コマンドを演出制御基板３１に出力する。
【００７４】
主制御用ＣＰＵ３０ａは、変動ゲームにおける大当りに当選した場合、決定した変動パターンに基づく変動ゲームの終了後、最終停止図柄に基づいて特定された種類の大当り遊技の制御を開始し、演出制御基板３１の演出制御用ＣＰＵ３１ａに対し、所定の制御コマンドを所定のタイミングで出力する。主制御用ＣＰＵ３０ａは、変動ゲームが終了すると、オープニングコマンドを出力する。また、主制御用ＣＰＵ３０ａは、ラウンドの開始毎にラウンドコマンドを出力する。また、主制御用ＣＰＵ３０ａは、最後のラウンドのラウンド遊技が終了すると、インターバル時間の経過後にエンディングコマンドを出力する。そして、主制御用ＣＰＵ３０ａは、エンディング時間の経過後、大当りフラグをクリアし、大当り遊技を終了させる。なお、主制御用ＣＰＵ３０ａは、大当りに当選した場合、第２大入賞口２２を開放させるときに、開放信号を出力し、第２大入賞口２２を閉鎖させるときに、閉鎖信号を出力する。
【００７５】
また、主制御用ＣＰＵ３０ａは、作動フラグの制御により、変短状態に関する遊技状態の制御を行うこととなる。具体的には、主制御用ＣＰＵ３０ａは、大当り遊技の種類に拘わらず、大当り遊技の開始時に、作動フラグをクリアする（「０」を設定する）。また、主制御用ＣＰＵ３０ａは、大当り遊技の終了後に、当選した当りの種類に基づいて、変短状態を付与するか否か、変短状態を付与する上限回数を決定する。そして、主制御用ＣＰＵ３０ａは、変短状態を付与する場合には、変短状態を付与することを示す値を作動フラグに設定する。そして、主制御用ＣＰＵ３０ａは、作動フラグに対応する変短指定コマンドを演出制御基板３１に出力する。変短指定コマンドは、変短状態が付与されているか否かを示すコマンドである。このように、主制御用ＣＰＵ３０ａは、当りの種類に基づいて、当り遊技の終了後に変短状態を付与可能に制御するとともに、変短状態が付与される場合に、変短状態が付与される変動ゲームの上限回数を決定することとなる。
【００７６】
また、主制御用ＣＰＵ３０ａは、予め定めた回数（本実施形態では２回）を上限回数として変短状態が付与される場合には、その回数を示す値を作動回数として主制御用ＲＡＭ３０ｃの所定の記憶領域に設定する。また、主制御用ＣＰＵ３０ａは、変動ゲーム毎に（変動ゲームの終了時に）作動回数を「１」減算し、値が「０」となると、作動フラグをクリアし、変短終了コマンドを演出制御基板３１に出力する。この変短終了コマンドは、変短状態が終了した旨を示すコマンドである。なお、本実施形態において、変動ゲームの実行中に役物抽選に当選した場合には、主制御用ＣＰＵ３０ａは、変動ゲームを中断させ、大当り遊技の終了後に再開させることとなるが、再開させた変動ゲームを１回目の変動ゲームとして特定することとなる。
【００７７】
なお、本実施形態において、ステップＳ２１，Ｓ２５，Ｓ２７において、変動パターンが決定されるが、この変動パターンの決定について以下に説明する。
主制御用ＣＰＵ３０ａは、変動パターン決定用乱数の値と、作動フラグとに基づいて、大当り変動用の変動パターン、はずれリーチ変動用の変動パターン、はずれ変動用の変動パターンを決定することとなる。
【００７８】
特に、主制御用ＣＰＵ３０ａは、作動フラグに基づいて変短状態であると特定した場合において、はずれ変動用変動パターンを選択するときには、主制御用ＲＡＭ３０ｃから作動回数を読み出し、該作動回数に基づいて、変動パターンを決定する。主制御用ＣＰＵ３０ａは、作動回数が「２」である場合、即ち、大当り遊技が終了して１回目の変動ゲームにおいては、はずれ変動用変動パターンとして変動パターンＰ１１を決定する。その一方で、主制御用ＣＰＵ３０ａは、作動回数が「１」である場合、即ち、大当り遊技が終了して２回目の変動ゲームにおいては、はずれ変動用変動パターンとして変動パターンＰ２１〜Ｐ２５のうち何れかを決定する。
【００７９】
また、主制御用ＣＰＵ３０ａは、非変短状態である場合においてはずれ変動用変動パターンを選択する場合には、変動時間が１２ｓとなる変動パターンＰ０１、又は変動時間が３ｓとなる変動パターンＰ０２を決定する。
【００８０】
このように、主制御用ＣＰＵ３０ａは、変短状態である場合と非変短状態である場合とで、異なる変動パターンを決定することとなる。特に、はずれ変動用変動パターンが決定される場合において、大当り遊技の終了後、１回目の変動ゲームにおいては、非変短状態で選択されるはずれ変動用変動パターンＰ０１，Ｐ０２よりも短い変動時間の変動パターンＰ１１が決定される。その一方で、はずれ変動用変動パターンが決定される場合において、大当り遊技の終了後、２回目の変動ゲームにおいては、非変短状態で選択されるはずれ変動用変動パターンＰ０１，Ｐ０２よりも長い変動時間の変動パターンＰ２１〜Ｐ２５が決定される。
【００８１】
次に、図６を参照して特別図柄変動中処理について説明する。
最初に、図６に示すように、主制御用ＣＰＵ３０ａは、主制御用ＲＡＭ３０ｃに割り当てられた特図制御フラグが「１」であるか否かを判定する（ステップＳ３１）。つまり、主制御用ＣＰＵ３０ａは、変動ゲームが実行中であるか否かを判定することとなる。この判定結果が否定（特図制御フラグが「１」ではない）の場合、主制御用ＣＰＵ３０ａは、特別図柄変動中処理を終了する。その一方で、判定結果が肯定（特図制御フラグが「１」である）の場合、主制御用ＣＰＵ３０ａは、ステップＳ３２に移行する。
【００８２】
ステップＳ３２において、主制御用ＣＰＵ３０ａは、主制御用ＲＡＭ３０ｃに割り当てられたシステムフラグが「０」であるか否かを判定する。なお、変動ゲームにおいて大当り遊技が実行中である場合には本処理を実行しないため、主制御用ＣＰＵ３０ａは、役物ゲームにおいて大当り遊技が行われているか否かを判定することとなる。この判定結果が肯定（システムフラグが「０」である）の場合、主制御用ＣＰＵ３０ａは、ステップＳ３３に移行する。その一方で、この判定結果が否定（システムフラグが「０」ではない）の場合、主制御用ＣＰＵ３０ａは、ステップＳ４１に移行する。
【００８３】
ステップＳ３３において、主制御用ＣＰＵ３０ａは、主制御用ＲＡＭ３０ｃに割り当てられた中断フラグから値を読み出し、中断フラグが「０」であるか否かを判定する。中断フラグは、役物ゲームで大当り遊技の実行中である場合に、変動ゲームを中断しているか否かを示すものであり、変動ゲームの実行が中断されている場合に「１」が、変動ゲームの実行が中断されていない場合に「０」が、それぞれ設定される。ステップＳ３３の判定結果が肯定の場合（中断フラグが「０」である）、主制御用ＣＰＵ３０ａは、ステップＳ３４〜Ｓ３６を実行することなく、ステップＳ３７に移行する。その一方で、ステップＳ３３の判定結果が否定の場合（中断フラグが「０」ではない）、主制御用ＣＰＵ３０ａは、ステップＳ３４に移行する。このように、主制御用ＣＰＵ３０ａは、変動ゲームが実行中であり、役物ゲームにおける大当り遊技が行われていない場合において、中断フラグが「１」であるときには、その中断を解除させるべく、ステップＳ３４〜Ｓ３６を実行することとなる。
【００８４】
ステップＳ３４において、主制御用ＣＰＵ３０ａは、変動ゲームの実行の中断を解除させるべく、主制御用ＲＡＭ３０ｃに割り当てられた中断フラグに「０」を設定する。そして、主制御用ＣＰＵ３０ａは、変動ゲームの実行の中断を解除させることを示す特図中断解除指定コマンドを主制御用ＲＡＭ３０ｃに設定し（ステップＳ３５）、特別図柄表示装置１２における特図の変動を再開させ（ステップＳ３６）、ステップＳ３７に移行する。このように、主制御用ＣＰＵ３０ａは、変動ゲームを中断させた場合において、役物ゲームにおける大当り遊技が終了したときには、その変動ゲームを再開させることとなる。
【００８５】
ステップＳ３７において、主制御用ＣＰＵ３０ａは、主制御用ＲＡＭ３０ｃに割り当てられた変動タイマを減算し、その変動タイマから値を読み出し、変動タイマが「０」であるか否かを判定する（ステップＳ３８）。つまり、主制御用ＣＰＵ３０ａは、特図を確定停止表示させるタイミングであるか否かを判定することとなる。ステップＳ３８の判定結果が否定の場合（変動タイマが「０」ではない）、主制御用ＣＰＵ３０ａは、ステップＳ３９，Ｓ４０を実行することなく、特別図柄変動中処理を終了する。その一方で、ステップＳ３８の判定結果が肯定の場合（変動タイマが「０」である）、主制御用ＣＰＵ３０ａは、変動ゲームの実行を終了させるべく、ステップＳ３９に移行する。
【００８６】
ステップＳ３９において、主制御用ＣＰＵ３０ａは、変動ゲームにおける特図を確定停止表示させることを示す全図柄停止コマンドを主制御用ＲＡＭ３０ｃに設定し、特別図柄表示装置１２における特図の変動停止制御を行い、特図制御フラグに「２」を設定し（ステップＳ４０）、特別図柄変動中処理を終了する。
【００８７】
その一方で、ステップＳ４１において、主制御用ＣＰＵ３０ａは、主制御用ＲＡＭ３０ｃに割り当てられた中断フラグを読み出し、中断フラグが「０」であるか否かを判定する。ステップＳ４１の判定結果が否定の場合（中断フラグが「０」ではない）、主制御用ＣＰＵ３０ａは、ステップＳ４２〜Ｓ４４を実行することなく、特別図柄変動中処理を終了する。その一方で、ステップＳ４１の判定結果が肯定の場合（中断フラグが「０」である）、主制御用ＣＰＵ３０ａは、ステップＳ４２に移行する。
【００８８】
ステップＳ４２において、主制御用ＣＰＵ３０ａは、変動ゲームの実行を中断させるべく、主制御用ＲＡＭ３０ｃに割り当てられた中断フラグに「１」を設定する。そして、主制御用ＣＰＵ３０ａは、変動ゲームの実行を中断させることを示す特図中断指定コマンドを主制御用ＲＡＭ３０ｃに設定し（ステップＳ４３）、特別図柄表示装置１２における特図の変動を中断させ（ステップＳ４４）、特別図柄変動中処理を終了する。このように、主制御用ＣＰＵ３０ａは、変動ゲームの実行中に、特殊通過領域への遊技球の通過により、役物抽選に当選し、大当り遊技が生起された場合には、その実行中の変動ゲームを中断させることとなる。なお、特別図柄表示装置１２は、特図を変動表示させたままとなる。
【００８９】
次に、特別図柄終了処理について以下に説明する。
最初に、主制御用ＣＰＵ３０ａは、主制御用ＲＡＭ３０ｃに割り当てられた特図制御フラグが「２」であるか否かを判定する。つまり、主制御用ＣＰＵ３０ａは、実行されていた変動ゲームが終了したか否かを判定することとなる。この判定結果が否定（特図制御フラグが「２」ではない）の場合、主制御用ＣＰＵ３０ａは、特別図柄終了処理を終了する。その一方で、判定結果が肯定（特図制御フラグが「２」である）の場合、主制御用ＣＰＵ３０ａは、主制御用ＲＡＭ３０ｃに割り当てられたシステムフラグが「０」であるか否かを判定する。なお、変動ゲームにおいて大当り遊技が実行中である場合には本処理を実行しないため、主制御用ＣＰＵ３０ａは、役物ゲームにおいて大当り遊技が行われているか否かを判定することとなる。そして、この判定結果が否定（システムフラグが「０」ではない）の場合、主制御用ＣＰＵ３０ａは、特別図柄終了処理を終了する。その一方で、この判定結果が肯定（システムフラグが「０」である）の場合、主制御用ＣＰＵ３０ａは、特図制御フラグに「０」を設定し、第１大当りフラグが「１」であるならば、システムフラグに「１」を設定し、特別図柄終了処理を終了する。
【００９０】
次に、普図ゲームに関する普通図柄入力処理について以下に説明する。
普通図柄入力処理において、主制御用ＣＰＵ３０ａは、遊技球が作動ゲート１９を通過したと判定した場合、主制御用ＲＡＭ３０ｃに記憶されている普図保留記憶数が上限数の「４」未満であるか否かを判定する。そして、その判定結果が肯定（普図保留記憶数＜「４」）の場合、主制御用ＣＰＵ３０ａは、普図保留記憶数を「１」加算し、普図保留記憶数を書き換える。続いて、主制御用ＣＰＵ３０ａは、普通当り判定用乱数や普図振分乱数の値を主制御用ＲＡＭ３０ｃから読み出して取得し、該値を普図保留記憶数に対応付けられた主制御用ＲＡＭ３０ｃの所定の記憶領域に設定し、普通図柄入力処理を終了する。
【００９１】
次に、普図ゲームに関する普通図柄開始処理について以下に説明する。
主制御用ＣＰＵ３０ａは、普図が変動表示中又は普通当り遊技中ではない場合において、読み出した普図保留記憶数が「０」よりも大きいときには、普図保留記憶数を「１」減算し、当該普図保留記憶数に対応付けられて主制御用ＲＡＭ３０ｃの所定の記憶領域に記憶されている普通当り判定用乱数の値を取得する。そして、主制御用ＣＰＵ３０ａは、取得した普通当り判定用乱数の値が主制御用ＲＯＭ３０ｂに記憶されている普通当り判定値と一致するか否かを判定して普通当り判定を行う。つまり、主制御用ＣＰＵ３０ａは、遊技球が作動ゲート１９を通過し、普図保留記憶数が「４」未満であるというように普通始動条件の成立により、普図ゲームが普通当りとなるか否かを判定することとなる。
【００９２】
普通当り判定の結果が肯定である場合、主制御用ＣＰＵ３０ａは、普通当りとなる普図ゲームであることを示す普通当りフラグを主制御用ＲＡＭ３０ｃに設定する。
そして、主制御用ＣＰＵ３０ａは、普通当りを決定した場合、普図ゲームの終了後、普通当り遊技に関する制御を実行する。また、主制御用ＣＰＵ３０ａは、普図ゲームが開始したときに変短状態が付与されているか否かによって異なる開放態様にて、開閉羽根１６を開放させるよう普通電動役物ソレノイドＳＯＬ１を制御する。具体的に、主制御用ＣＰＵ３０ａは、普図ゲームが開始したときに変短状態が付与されていない場合には、短開放態様で開閉羽根１６を開放させるように普通電動役物ソレノイドＳＯＬ１を制御する（本実施形態では４０ｍｓ開放）。その一方で、主制御用ＣＰＵ３０ａは、普図ゲームが開始したときに変短状態が付与されている場合には、長開放態様で開閉羽根１６を開放させるように普通電動役物ソレノイドＳＯＬ１を制御する（本実施形態では１ｓ３回開放）。このように、変短状態が付与されていない場合には、普通電動入賞口１５が開放されるものの、開閉羽根１６が開放される時間が極めて短く設定されているため、普通電動入賞口１５に遊技球がほとんど入賞しない。その一方で、変短状態が付与されている場合には、普通電動入賞口１５が開放され、開閉羽根１６が開放される時間が普通電動入賞口１５に遊技球が入賞可能な時間として設定されているため、普通電動入賞口１５に遊技球が入賞し易い。
【００９３】
また、本実施形態において、主制御用ＣＰＵ３０ａは、変短状態が付与されているか否かに応じた普図ゲームの変動パターンを選択し、決定する。これにより、主制御用ＣＰＵ３０ａは、変短状態では、非変短状態よりも普図ゲームの変動時間を短くさせるよう制御するとともに、１回の普通当りに対応する合計開放時間を長く開放させるよう制御する。
【００９４】
また、普通図柄開始処理とは別の処理において、主制御用ＣＰＵ３０ａは、普通当りを決定した場合、普図ゲームの終了後、普通当り遊技に関する制御を実行する。主制御用ＣＰＵ３０ａは、普図ゲームが開始したときに非変短状態である場合には、短開放態様で開閉羽根１６を開放させるよう普通電動役物ソレノイドＳＯＬ１を制御する。その一方で、主制御用ＣＰＵ３０ａは、普図ゲームが開始したときに変短状態である場合には、長開放態様で開閉羽根１６を開放させるよう普通電動役物ソレノイドＳＯＬ１を制御する。
【００９５】
また、主制御用ＣＰＵ３０ａは、普通電動入賞口１５に遊技球が入賞した場合には、第１大入賞口２４の開閉制御中であるか否かを判定する。第１大入賞口２４の開閉制御中ではないと判定した場合、主制御用ＣＰＵ３０ａは、役物ゲームにおける大当りの種類を決定するための抽選を行い、抽選結果に基づいて役物ゲームにおける大当りの種類を決定し、主制御用ＲＡＭ３０ｃの所定領域に記憶する。なお、本実施形態において、普通電動入賞口１５に遊技球が入賞した場合に大当りの種類が決定され、第１大入賞口２４における特殊通過領域への遊技球の通過により、その大当りの種類が確定することとなる。そして、主制御用ＣＰＵ３０ａは、第１大入賞口ソレノイドＳＯＬ２に開放信号及び閉鎖信号を出力し、第１大入賞口２４の開閉制御を行う。
【００９６】
次に、図７を参照して役物ゲーム制御処理について説明する。この役物ゲーム制御処理は、役物抽選の当選による大当り遊技が実行されておらず、第１大入賞口２４の開閉制御が開始されている場合に、所定の周期毎に主制御用ＣＰＵ３０ａに呼び出される。つまり、主制御用ＣＰＵ３０ａは、普通電動入賞口１５に遊技球が入賞したことを一つの条件として、第１大入賞口２４の開閉制御が行われるときに、所定の周期毎に役物ゲーム制御処理を呼び出すこととなる。
【００９７】
最初に、図７に示すように、主制御用ＣＰＵ３０ａは、特殊通過スイッチＳＷ６からの通過信号に基づいて特殊通過領域への遊技球の通過を検知したか否かを判定する（ステップＳ５１）。この判定結果が否定（特殊通過領域への遊技球の通過を検知していない）の場合、主制御用ＣＰＵ３０ａは、役物ゲーム制御処理を終了する。その一方で、この判定結果が肯定（特殊通過領域への遊技球の通過を検知した）の場合、ステップＳ５２に移行する。
【００９８】
ステップＳ５２において、主制御用ＣＰＵ３０ａは、主制御用ＲＡＭ３０ｃに割り当てられたシステムフラグが「０」であるか否かを判定する。なお、役物ゲームにおいて大当り遊技が実行中である場合には本処理を実行しないため、主制御用ＣＰＵ３０ａは、変動ゲームにおいて大当り遊技が行われているか否かを判定することとなる。この判定結果が否定（システムフラグが「０」ではない）の場合、主制御用ＣＰＵ３０ａは、役物ゲーム制御処理を終了する。その一方で、この判定結果が肯定（システムフラグが「０」である）の場合、主制御用ＣＰＵ３０ａは、役物抽選に当選したことを示す第２大当りフラグに「１」を設定し（ステップＳ５３）、変動ゲームに係る各種処理を実行し（ステップＳ５４）、役物ゲーム制御処理を終了する。具体的には、主制御用ＣＰＵ３０ａは、特殊通過領域を通過したことを指定する特殊通過コマンドを演出制御基板３１に出力する。
【００９９】
また、役物ゲーム制御処理とは別の処理において、主制御用ＣＰＵ３０ａは、第１大入賞口２４の開閉制御が終了する終了条件が成立した場合、第２大当りフラグから値を読み出し、第２大当りフラグが「１」であるならば、システムフラグに「１」を設定する。
【０１００】
また、主制御用ＣＰＵ３０ａは、主制御用ＲＡＭ３０ｃの所定領域に予め記憶されている大当りの種類を読み出し、その大当りの種類に対応する大当り遊技の実行を決定することとなる。
【０１０１】
また、主制御用ＣＰＵ３０ａは、役物ゲームにおける大当りに当選した場合、役物ゲームの終了後、大当りの種類に対応する大当り遊技の制御を開始し、演出制御基板３１の演出制御用ＣＰＵ３１ａに対し、所定の制御コマンドを所定のタイミングで出力する。主制御用ＣＰＵ３０ａは、役物ゲームが終了すると、オープニングコマンドを出力する。また、主制御用ＣＰＵ３０ａは、ラウンドの開始毎にラウンドコマンドを出力する。また、主制御用ＣＰＵ３０ａは、最後のラウンドのラウンド遊技が終了すると、インターバル時間の経過後にエンディングコマンドを出力する。そして、主制御用ＣＰＵ３０ａは、エンディング時間の経過後、大当りフラグをクリアし、大当り遊技を終了させる。これら各種のコマンドは、変動ゲームにおいて大当り抽選に当選した場合と、役物ゲームにおいて役物抽選に当選した場合とが特定可能なようなコマンドが出力されることとなる。なお、主制御用ＣＰＵ３０ａは、大当りに当選した場合、第１大入賞口２４を開放させるときに、開放信号を出力し、第１大入賞口２４を閉鎖させるときに、閉鎖信号を出力する。
【０１０２】
次に、各種演出を含む変動ゲームを実行させるために演出制御用ＣＰＵ３１ａが実行する制御内容について以下に説明する。
主制御用ＣＰＵ３０ａから所定の制御コマンドを所定のタイミングで入力すると、演出制御用ＣＰＵ３１ａは、演出制御プログラムに基づいて、入力した制御コマンドに応じた制御を行う。
【０１０３】
具体的に、演出制御用ＣＰＵ３１ａは、変動パターン指定コマンド及び特図指定コマンドを入力すると、当該変動パターン指定コマンドにより指定された変動パターン及び当該特図指定コマンドにより指定された最終停止図柄に基づいて、演出表示装置１１に表示させる飾り図柄を決定する。
【０１０４】
より詳しくは、演出制御用ＣＰＵ３１ａは、大当り遊技が付与される大当り図柄の場合、飾り図柄を大当り図柄の中から決定する。また、演出制御用ＣＰＵ３１ａは、はずれリーチ変動となる変動パターン指定コマンドを入力した場合、リーチ状態を形成するはずれ図柄の中から飾り図柄を決定し、はずれ変動となる変動パターン指定コマンドを入力した場合、リーチ状態を形成しないはずれ図柄の中から飾り図柄を決定する。
【０１０５】
そして、演出制御用ＣＰＵ３１ａは、飾り図柄の変動表示を開始するように演出表示装置１１の表示制御を行い、全図柄停止コマンドを入力すると、決定した飾り図柄を確定停止表示させるように演出表示装置１１の表示制御を行う。また、演出制御用ＣＰＵ３１ａは、変動パターン指定コマンドの入力により、該変動パターン指定コマンドにより指定された変動時間を特定するとともに、変動時間計数カウンタに変動時間を設定し、時間の経過毎に変動時間計数カウンタの値を減算（更新）することで、変動ゲームが開始されてからの経過時間を計数する。
【０１０６】
また、演出制御用ＣＰＵ３１ａは、オープニングコマンドを入力すると、該コマンドに対応するオープニング演出を実行させるように演出表示装置１１の表示内容を制御する。また、演出制御用ＣＰＵ３１ａは、ラウンドコマンドを入力すると、各ラウンド演出を実行させるように演出表示装置１１の表示内容を制御する。また、演出制御用ＣＰＵ３１ａは、エンディングコマンドを入力すると、エンディング演出を実行させるように演出表示装置１１の表示内容を制御する。な、本実施形態において、変動ゲームにおける大当り遊技と、役物ゲームにおける大当り遊技とでは演出態様が異なり、特に、役物ゲームにおける大当り遊技では大当り遊技が付与されているか否かが特定し難い演出態様となっている。
【０１０７】
また、演出制御用ＣＰＵ３１ａは、変短指定コマンド、変短終了コマンドを入力すると、当該コマンドに対応する値を演出制御用ＲＡＭ３１ｃに設定する。特に、演出制御用ＣＰＵ３１ａは、大当りとなる変動ゲームの開始時に特図指定コマンドを入力すると、特図の種類から大当りの種類が特定可能である。また、演出制御用ＣＰＵ３１ａは、その大当りの種類に基づいて、変短状態が付与されるか否か、変短状態の上限回数が特定可能である。そして、演出制御用ＣＰＵ３１ａは、変短状態が付与された場合には、演出制御用ＲＡＭ３１ｃに割り当てられた作動回数に特定した変短状態の上限回数を設定する。この作動回数は、変短状態が付与された回数を計数するためのカウンタである。そして、演出制御用ＣＰＵ３１ａは、作動回数が「０」となるまで、変動ゲームが実行される毎に作動回数を「１」減算する。
【０１０８】
演出制御用ＣＰＵ３１ａは、特殊通過コマンドを入力すると、そのコマンドを演出制御用ＲＡＭ３１ｃに設定する。また、演出制御用ＣＰＵ３１ａは、特図中断指定コマンドを入力すると、演出制御用ＲＡＭ３１ｃに中断フラグを設定し、変動ゲームが開始してからの経過時間の計数も中断させる。その一方で、演出制御用ＣＰＵ３１ａは、特図中断解除指定コマンドを入力すると、演出制御用ＲＡＭ３１ｃに中断フラグをクリアし、変動ゲームが開始してからの経過時間の計数を再開させる。
【０１０９】
なお、本実施形態では、普通電動入賞口１５に遊技球が入賞したことを契機として第１大入賞口２４が開放される場合と、役物ゲームにおいて特殊通過領域を遊技球が通過して役物抽選の当選を契機として第１大入賞口２４が開放される場合とがある。そして、これら両方において、第１大入賞口２４が開放される１回の開放時間が同じ時間として規定されている。このため、この１回の開放時間からは、何れを契機として第１大入賞口２４が開放されたかが特定困難となる。
【０１１０】
具体的には、図８（ａ）に示すように、普通電動入賞口１５に遊技球が入賞したことを契機として第１大入賞口２４が開放される場合には、開放時間として１．０ｓが、開放回数として１回がそれぞれ規定されている。
【０１１１】
また、図８（ｂ）に示すように、普通電動入賞口１５に遊技球が入賞し、更に役物抽選の当選を契機として２ラウンド大当り遊技が付与されることを契機として第１大入賞口２４が開放される場合には、開放時間として１．０ｓが、インターバル時間として０．５ｓが、開放回数として２回がそれぞれ規定されている。
【０１１２】
また、図８（ｃ）に示すように、普通電動入賞口１５に遊技球が入賞し、更に役物抽選の当選を契機として８ラウンド大当り遊技が付与されることを契機として第１大入賞口２４が開放される場合には、開放時間として１．０ｓが、インターバル時間として０．５ｓが、開放回数として８回がそれぞれ規定されている。
【０１１３】
また、普通電動入賞口１５に遊技球が入賞し、更に役物抽選の当選を契機として１６ラウンド大当り遊技が付与されることを契機として第１大入賞口２４が開放される場合には、開放時間として１．０ｓが、インターバル時間として０．５ｓが、開放回数として１６回がそれぞれ規定されている。
【０１１４】
また、普通電動入賞口１５に遊技球が入賞したことを契機として第１大入賞口２４が開放される場合であっても、役物抽選の当選を契機として第１大入賞口２４が開放される場合であっても、１回の開放時間として１．０ｓが規定されている。そして、更にはこの１回の開放が単位期間として規定されており、この単位期間内に遊技球が入球可能な入賞上限個数が規定されている。しかしながら、本実施形態においては、この単位期間内に１球以上の遊技球が入球可能であるものの、入賞上限個数の遊技球が入賞困難な開放時間が規定されている。具体的な一例としては、６０ｓで約１００球の遊技球を発射する遊技機では平均０．６ｓで１球の遊技球が発射される計算となり、単位期間における合計開放時間が０．６ｓ以上となるように規定されている。また、単位時間における入賞上限個数が８個であり、単位期間における合計開放時間が４．８ｓ未満となるように規定されている。このように、単位期間における合計開放時間が１球の遊技球が入球可能な時間として規定されているので所定の賞球数が付与されるとともに、入賞上限個数の遊技球が入賞されないので予め定められた時間が経過することで単位期間が終了することとなり、設計者の意図するような一定の単位期間で第１大入賞口２４の開閉制御が行われることとなる。なお、本実施形態において、普通電動入賞口１５への遊技球の入球を契機として第１大入賞口２４が開放される場合には、１球の遊技球が入球したことに対する第１大入賞口２４の制御期間を単位期間として規定し、役物ゲームにおける大当り遊技において各ラウンド制御が行われる制御期間を単位期間として規定する。
【０１１５】
なお、本実施形態において、変短状態において、変短状態の付与が継続可能な時間（継続可能時間）を示す継続可能時間報知演出が実行される。この継続可能時間報知演出には、変短状態が付与された後に継続可能時間を報知する初期時間演出と、逐次に継続可能時間をカウントダウンするカウントダウン演出と、所定の上乗せ条件の成立により継続可能時間に上乗せ時間を上乗せする上乗せ時間演出とが含まれている。
【０１１６】
また、本実施形態において、変短状態において、第１大入賞口２４の開放制御に応じた開放制御演出が実行される。この開放制御演出には、第１大入賞口２４が開放状態に制御されていることを示す開放演出と、第１大入賞口２４に遊技球が入賞したことを示す入賞演出とが含まれている。
【０１１７】
ここで、図９及び図１０を参照して演出表示装置１１の画像表示部ＧＨに表示される画像の具体的な一例について説明する。
まず、非変短状態において、図９（ａ）に示すように、画像表示部ＧＨには、飾り図柄の変動表示が行われる。また、非変短状態においては、非変短状態モードに制御されており、非変短状態であることを示す背景画像が表示されている。そして、図９（ｂ）に示すように、はずれ図柄が確定停止表示される場合がある。その一方で、図９（ｃ）に示すように、飾り図柄の変動表示が行われ、左列の飾り図柄と右列の飾り図柄とが一致するように一旦停止表示され、リーチ状態となり、図９（ｄ）に示すように、大当り図柄が確定停止表示される場合もある。
【０１１８】
図９（ｅ）に示すように、変動ゲームにおける大当り抽選の当選による大当り遊技が開始されると、第２大入賞口２２に遊技球を入賞させることを促すように、「右打ちをしてください」という画像が表示される。そして、図９（ｆ）に示すように、その大当り遊技が終了すると、図９（ｇ）に示すように、変短状態が付与される場合があり、そのときには、「チャンスタイム」、「ＲｅａｄｙＧｏ！」という開始画像が表示され、変短状態が開始されることを示す開始演出が実行される。
【０１１９】
続いて、図９（ｈ）に示すように、変短状態において敵キャラクタと戦う味方キャラクタが表示され、変短状態の付与が継続可能な継続可能時間が４分であることを示す画像が表示され、初期時間演出が実行される。なお、この場合において、継続可能時間を示す画像が表示されてから４分経過すると必ず変短状態が終了するわけではなく、最低限４分間は変短状態の付与が継続されることを示している。なお、この変動ゲームでは、実際には、変動時間が２４０ｓとなる変動パターンＰ２４が決定されており、変動ゲームの実行が中断されなければ、その変動パターンに基づく変動ゲームが終了する４分後に変短状態の付与が終了することとなる。また、画像表示部ＧＨの右上には、その継続可能時間に対応するカウントダウン画像が表示され、カウントダウン演出の実行が開始される。また、画像表示部ＧＨの左上には、変短状態が継続されているときに第１大入賞口２４への遊技球の入賞に応じて獲得された累積賞球数を示す累積賞球数画像が表示される。
【０１２０】
そして、図１０（ａ）に示すように、このように変短状態が付与されている間には、味方キャラクタが走り周る演出が実行され、時間が経過する毎にカウントダウン画像が変化していき、変短状態の付与が継続可能な継続可能時間が逐次減少されていることが報知される。
【０１２１】
続いて、図１０（ｂ）に示すように、普通電動入賞口１５に遊技球が入賞したことを契機として第１大入賞口２４が開放されるときには、味方キャラクタが敵キャラクタと戦う開放演出が実行される。この開放演出が実行されているときに、第１大入賞口２４に遊技球が入賞しなかった場合には、入賞演出が実行されない。
【０１２２】
一方、図１０（ｃ）に示すように、普通電動入賞口１５に遊技球が入賞したことを契機として第１大入賞口２４が開放されるときに開放演出が実行され、第１大入賞口２４に遊技球が入賞した場合には、図１０（ｄ）に示すように、その入賞を示し、更には入賞に対応する賞球数を示す入賞演出が実行され、左上の累積賞球数画像の表示が更新される。
【０１２３】
次に、図１０（ｅ）に示すように、役物ゲームにおける役物抽選の当選を契機として第１大入賞口２４が開放されるときに開放演出が実行され、第１大入賞口２４に遊技球が入賞した場合には、図１０（ｆ）に示すように、その入賞に対応する賞球数を示す入賞演出が実行され、左上の累積賞球数画像の表示が更新される。なお、本実施形態において、普通電動入賞口１５に遊技球が入賞したことを契機として第１大入賞口２４が開放されたか、役物ゲームにおける役物抽選の当選を契機として第１大入賞口２４が開放されたかが特定困難となるように、同じ演出態様で開放演出が実行される。
【０１２４】
また、本実施形態において、役物ゲームにおける役物抽選の当選を契機として変動ゲームの実行が中断された場合、変動ゲームの変動時間が実際には減算されないが、カウントダウン画像が変化するようにカウントダウン演出が継続して実行される。このため、カウントダウン演出が継続して実行されていても、普通電動入賞口１５に遊技球が入賞したことを契機として第１大入賞口２４が開放されたか、役物ゲームにおける役物抽選の当選を契機として第１大入賞口２４が開放されたかが特定困難となっている。
【０１２５】
そして、役物ゲームにおける役物抽選の当選を契機として変動ゲームの実行が中断された場合において、その役物抽選の当選を契機として付与された大当り遊技が終了すると、中断された変動ゲームの実行が再開される。この場合、カウントダウン演出における継続可能時間と、実際に変短状態が継続可能な時間とが異なることとなる。そして、所定の上乗せ条件が成立すると、図１０（ｇ）に示すように、継続可能時間が３０ｓ上乗せされることを示す上乗せ時間画像が表示され、上乗せ時間演出が実行される。なお、本実施形態において、カウントダウン演出における継続可能時間と実際に変短状態が継続可能な時間とが異なる場合に、役物ゲームにおける大当り遊技が終了したとき、又は、役物ゲームにおける大当り遊技が終了していないが継続可能時間が０となったときに、所定の上乗せ条件が成立することとなる。
【０１２６】
また、時間が経過する毎にカウントダウン画像が変化していき、実際に変短状態が継続可能な時間が経過したときには、図１０（ｈ）に示すように、変短状態の付与が終了することを示す「チャンスタイム終了」という終了画像が表示され、変短状態から非変短状態となる。
【０１２７】
次に、図１１を参照して遊技の進行に伴う演出の実行タイミングについて説明する。
図１１に示すように、非変短状態において変動ゲームにおける大当り遊技が付与されたときに、その大当り遊技の終了後に変短状態が付与される場合を一例にあげる。
【０１２８】
最初に変動ゲームにおける大当り抽選の当選による大当り遊技の終了後に変短状態が付与された場合には、符号Ｔ１０に示すタイミングで、変短状態が付与されていることを示す背景画像（変短モード）が表示される。そして、１回目の変動ゲームにおいて、開始演出が実行される。
【０１２９】
次に、符号Ｔ１１に示すタイミングから、２回目の変動ゲームが実行される場合、カウントダウン演出が実行される。また、符号Ｔ１１に示すタイミングから所定時間で、初期時間演出が実行される。
【０１３０】
そして、２回目の変動ゲームが開始してから継続可能時間が経過する前に、符号Ｔ１２に示すタイミングから符号Ｔ１３に示すタイミングの間で、普通電動入賞口１５への遊技球の入賞を契機として第１大入賞口２４が開放状態となる場合、その第１大入賞口２４が開放状態となっている間、開放演出が実行される。この場合、第１大入賞口２４に遊技球が入賞しないと、入賞演出が実行されず、更には役物抽選が当選することもない。
【０１３１】
次に、符号Ｔ１４に示すタイミングから符号Ｔ１５に示すタイミングの間で、普通電動入賞口１５への遊技球の入賞を契機として第１大入賞口２４が開放状態となる場合、その第１大入賞口２４が開放状態となっている間、開放演出が実行される。この場合、第１大入賞口２４に遊技球が入賞すると、入賞演出が実行される。また、第１大入賞口２４に遊技球が入賞し、更には特殊通過領域を通過した場合には、役物抽選に当選したこととなる。この場合、インターバル時間が経過した後に、役物抽選の当選に基づく大当り遊技が開始され、この場合、変動ゲームの実行が中断されることとなる。なお、本実施形態において、変動ゲームの実行が中断された場合であっても、カウントダウン演出の実行が中断されるわけではなく、継続して実行される。
【０１３２】
次に、符号Ｔ１６に示すタイミングから符号Ｔ１８に示すタイミングの間で、役物抽選の当選に基づく大当り遊技が実行される。そして、符号Ｔ１６に示すタイミングから符号Ｔ１７に示すタイミングの間で、役物抽選の当選を契機として第１大入賞口２４が開放状態となる場合、その第１大入賞口２４が開放状態となっている間、開放演出が実行される。この場合、第１大入賞口２４に遊技球が入賞すると、入賞演出が実行される。そして、インターバル時間が経過した後に、役物抽選の当選に基づく大当り遊技が終了され、中断されている変動ゲームの実行が再開されることとなる。
【０１３３】
次に、符号Ｔ１８に示すタイミングにおいて、変動ゲームが中断されていた時間に対応する上乗せ時間演出が実行される。このように、変動ゲームの実行が中断されている間に、カウントダウン演出が継続されているため、カウントダウン演出における時間と実際の継続可能時間とが異なるときには、その分の時間が上乗せされることとなる。
【０１３４】
そして、符号Ｔ１９に示すタイミングにおいて、２回目の変動ゲームの実行が終了されると、実際の継続可能時間が終了することとなる。そして、変短状態の付与が終了して、非変短状態に制御され、変短状態が付与されていないことを示す背景画像（非変短モード）が表示される。
【０１３５】
ここで、カウントダウン演出や開放制御演出の制御について説明する。
最初に、主制御用ＣＰＵ３０ａは、作動口スイッチＳＷ３からの信号に基づいて、普通電動入賞口１５への遊技球の入賞に応じて第１大入賞口２４を開放させるときには、第１大入賞口を開放させることを示す第１大入賞口開放コマンドを演出制御用ＣＰＵ３１ａに出力する。
【０１３６】
また、主制御用ＣＰＵ３０ａは、第１カウントスイッチＳＷ４からの信号に基づいて、第１大入賞口２４への遊技球の入賞に応じて第１大入賞口２４への遊技球の入賞を示す第１大入賞コマンドを演出制御用ＣＰＵ３１ａに出力する。
【０１３７】
次に、演出制御用ＣＰＵ３１ａは、演出制御用ＲＡＭ３１ｃに割り当てられた作動回数に基づいて、変短状態が付与されているか否かを判定し、変短状態が付与されているか否かに対応する背景画像（演出モード）を演出表示装置１１に表示させる制御を行う。このように、演出制御用ＣＰＵ３１ａは、変短状態が付与されているか否かに演出モード（演出種別）が対応しており、その演出モードに基づく演出を実行させる制御することとなる。
【０１３８】
また、演出制御用ＣＰＵ３１ａは、変短状態において変動パターンＰ１１を指定する変動パターン指定コマンドを入力すると、開始画像を演出表示装置１１に表示させる制御を行うことによって、開始演出を実行させる。
【０１３９】
また、演出制御用ＣＰＵ３１ａは、変短状態において変動パターンＰ２１〜Ｐ２５のうち何れかを指定する変動パターン指定コマンドを入力すると、変短状態が付与されてから２回目の変動ゲームの実行が開始されると判定することとなり、その変動パターン指定コマンドにより指定される変動ゲームの変動時間を特定する。なお、本実施形態において、変短状態において変動パターンＰ２１〜Ｐ２５のうち何れかを指定する変動パターン指定コマンドが入力されることによって変動ゲームの残り時間に関する報知を行わせるための報知条件が成立することとなる。
【０１４０】
続いて、演出制御用ＣＰＵ３１ａは、特定された変動ゲームの変動時間を、変動時間計数カウンタと表示時間計数カウンタとに設定する。この変動時間計数カウンタは、継続可能時間を計数するためのカウンタであり、演出制御用ＲＡＭ３１ｃの所定領域に割り当てられている。また、表示時間計数カウンタは、演出表示装置１１においてカウントダウン演出を実行させるためのカウンタであり、演出制御用ＲＡＭ３１ｃの所定領域に割り当てられている。そして、演出制御用ＣＰＵ３１ａは、所定周期毎に、変動時間計数カウンタと表示時間計数カウンタとの両方を更新する。このように、演出制御用ＣＰＵ３１ａは、変動ゲームが実行される場合、変動ゲームの変動パターン（変動時間）に基づいて、その変動ゲームの残り時間（変短状態の残り時間）を計数することとなる。
【０１４１】
そして、演出制御用ＣＰＵ３１ａは、表示時間計数カウンタに記憶されている値に基づいて、演出表示装置１１にカウントダウン演出を実行させる制御を行い、変動ゲームの実行中にその変動ゲームの残り時間に関する報知を行わせることとなる。
【０１４２】
また、演出制御用ＣＰＵ３１ａは、役物ゲームにおける大当り遊技が開始されることを示すオープニングコマンドの入力に基づいて、役物ゲームにおける大当り遊技が開始されて、変動ゲームの実行を中断させたと判定する。演出制御用ＣＰＵ３１ａは、変動ゲームの実行を中断させたと判定した場合、役物ゲームにおける大当り遊技が終了するまで、変動時間計数カウンタの更新を停止させる一方で、表示時間計数カウンタの更新を継続させる。これによって、実際の継続可能時間の更新が停止される一方で、演出表示装置１１におけるカウントダウン演出が継続して実行されることとなる。このように、演出制御用ＣＰＵ３１ａは、役物ゲームにおける大当り遊技が付与されることによって図柄変動ゲームの実行が中断された場合、その変動ゲームの残り時間の計数を中断する一方で、変動ゲームの残り時間に関する報知を継続可能に制御することとなる。
【０１４３】
続いて、演出制御用ＣＰＵ３１ａは、所定の上乗せ条件が成立したか否かを判定する。この所定の上乗せ条件としては、役物ゲームにおける大当り遊技の実行中において表示時間計数カウンタの値が「０」となった場合、又は、表示時間計数カウンタの値が「０」となっていないが役物ゲームにおける大当り遊技が終了した場合に成立する。演出制御用ＣＰＵ３１ａは、所定の上乗せ条件が成立したと判定した場合には、役物ゲームにおける大当り遊技の種類に対応する時間を上乗せさせる上乗せ時間として特定し、上乗せ時間演出を演出表示装置１１に実行させる制御を行う。
【０１４４】
なお、本実施形態において、演出制御用ＣＰＵ３１ａは、１６ラウンド大当り遊技が実行される場合には、１５ラウンド分の大当り遊技が実行されているときに変動ゲームの実行が中断されることとなるため、その大当り遊技の合計実行時間が３０ｓとなり、その３０ｓを上乗せ時間として決定する。同じように、演出制御用ＣＰＵ３１ａは、８ラウンド大当り遊技が実行される場合には、７ラウンド分の大当り遊技が実行されているときに変動ゲームの実行が中断されることとなるため、その大当り遊技の合計実行時間が１８ｓとなり、その１８ｓを上乗せ時間として決定する。同じように、演出制御用ＣＰＵ３１ａは、２ラウンド大当り遊技が実行される場合には、１ラウンド分の大当り遊技が実行されているときに変動ゲームの実行が中断されることとなるため、その大当り遊技の合計実行時間が９ｓとなり、その９ｓを上乗せ時間として決定する。
【０１４５】
このように、演出制御用ＣＰＵ３１ａは、役物ゲームにおける大当り遊技の種類に基づいて、中断される変動ゲームの中断時間を特定する。そして、演出制御用ＣＰＵ３１ａは、変動ゲームの実行が中断されてから、変動ゲームが再開されるまでの間に、変動ゲームの中断時間に基づく上乗せ時間が変動ゲームの残り時間に加算される報知を行わせる制御を行うこととなる。
【０１４６】
また、演出制御用ＣＰＵ３１ａは、変短状態において、第１大入賞口開放コマンドの入力に基づいて、演出表示装置１１に開放演出を実行させる制御を行う。また、演出制御用ＣＰＵ３１ａは、役物ゲームにおける大当り遊技が付与されているときにラウンドコマンドの入力に基づいて、演出表示装置１１に開放演出を実行させる制御を行う。この開放演出は、第１大入賞口開放コマンドの入力に基づく場合と、ラウンドコマンドの入力に基づく場合とで同じ演出態様で実行されるため、遊技者にとって特定し難くなるように実行される。
【０１４７】
また、演出制御用ＣＰＵ３１ａは、変短状態において、第１大入賞コマンドの入力に基づいて、累積入賞数を計数して演出制御用ＲＡＭ３１ｃの所定領域に記憶する。なお、本実施形態において、変短状態が継続されている間における累積入賞数が計数される。つまり、演出制御用ＣＰＵ３１ａは、第１大入賞口２４への遊技球の入球に基づいて遊技球の賞球数を計数することとなる。そして、演出制御用ＣＰＵ３１ａは、演出制御用ＲＯＭ３１ｂに予め記憶されており、第１大入賞口２４への遊技球の入賞により払い出される賞球数と、累積入賞数との積を累積賞球数として算出して演出制御用ＲＡＭ３１ｃの所定領域に記憶する。
【０１４８】
続いて、演出制御用ＣＰＵ３１ａは、第１大入賞コマンドの入力に基づいて、演出表示装置１１に入賞演出を実行させる制御を行うとともに、累積賞球数を示す画像を表示させる制御を行う。この入賞演出も、第１大入賞口開放コマンドの入力に基づく場合と、ラウンドコマンドの入力に基づく場合とで同じ演出態様で実行されるため、遊技者にとって特定し難くなるように実行される。このように、演出制御用ＣＰＵ３１ａは、計数された遊技球の賞球数に関する演出を実行させる制御を行う。
【０１４９】
このような演出制御用ＣＰＵ３１ａが、報知制御手段、演出制御手段、演出モード制御手段、残り時間計数手段、中断時間特定手段に相当する。また、変動ゲームにおける大当り遊技が第１当り遊技に、役物ゲームにおける大当り遊技が第２当り遊技に、それぞれ相当し、役物ゲームが第２ゲームに相当する。また、普通電動入賞口１５への遊技球の入球を契機とする条件が第１条件（開条件）に、第１大入賞口２４への遊技球の入球を契機とする条件が第２条件にそれぞれ相当する。また、本実施形態において、演出モードを示す画像や、開放演出、入賞演出は、第１条件に基づくか第２条件に基づくかが特定し難い特定演出に相当する。また、本実施形態において、役物ゲームにおける大当り遊技が開始されることを示すオープニングコマンドが、図柄変動ゲームの実行が中断されることを示す情報に相当する。
【０１５０】
以上詳述したように、本実施形態は、以下の効果を有する。
（１）変動ゲームにおける大当り遊技が生起された場合、その大当り遊技の終了後に、普通電動入賞口１５や第１大入賞口２４が開状態となり易くなる入球率向上状態が特定回数の図柄変動ゲームを上限として付与可能に制御される。そして、入球率向上状態が付与されている場合には、入球率向上状態が付与されていない場合よりも変動ゲームの変動時間が長い変動パターンを決定し易くなる。このため、入球率向上状態が付与されることによって、普通電動入賞口１５が開状態となり易くなるばかりか、変動ゲームの変動時間が長くなり易く、入球率向上状態の付与を長くすることができ、斬新な遊技性を提供することができ、遊技に対する興趣の向上を図ることができる。
【０１５１】
（２）また、役物ゲームにおける大当り遊技が生起される場合、普通電動入賞口１５への遊技球の入賞に基づいて第１大入賞口２４が開状態とされる１回の開放時間が、役物抽選の当選に基づいて第１大入賞口２４が開状態とされる１回の開放時間と同じと特定可能なように規定されている。このため、第１大入賞口２４の１回の開放時間から、普通電動入賞口１５への遊技球の入賞に基づくか、役物抽選の当選に基づくかが特定し難くなり、斬新な遊技性を提供することができ、遊技に対する興趣の向上を図ることができる。
【０１５２】
（３）また、各条件の成立による第１大入賞口２４の１回の開放時間を同じとするため、何れの条件が成立して第１大入賞口２４が開状態とされるかがより一層特定し難くなり、斬新な遊技性を提供することができ、遊技に対する興趣の向上を図ることができる。
【０１５３】
（４）第１大入賞口２４において入球する遊技球の入賞上限個数が規定されている。そして、普通電動入賞口１５への遊技球の入賞に基づく１回の開放時間や役物抽選の当選に基づくラウンド時間（単位期間）内に入賞上限個数の遊技球が入球したら動作が終了される。そのラウンド時間内に入賞上限個数が開状態とされる合計開放時間には、入賞上限個数の遊技球が入球困難となる開放時間が規定されている。このため、単位期間内に入賞上限個数の遊技球が入球することは少なく、単位期間が途中で中断されず、第１大入賞口２４の動作が途中で終了されることはなく、第１大入賞口２４の動作について予め定められた単位期間で完結することとなる。したがって、１回の開放時間から、役物ゲームにおける大当り遊技において第１大入賞口２４が開状態とされているか、普通電動入賞口１５への遊技球の入賞において第１大入賞口２４が開状態とされるかが特定し難くなり、斬新な遊技性を提供することができ、遊技に対する興趣の向上を図ることができる。
【０１５４】
（５）また、役物ゲームにおける大当り遊技が生起される場合、普通電動入賞口１５への遊技球の入賞に基づいて第１大入賞口２４の動作期間と、役物抽選の当選に基づいて第１大入賞口２４の動作期間との両方で、同じ演出態様と特定可能な特定演出が実行される。このため、特定演出から、普通電動入賞口１５への遊技球の入賞に基づいて第１大入賞口２４が動作しているか、役物抽選の当選に基づいて第１大入賞口２４が動作しているかが特定し難くなり、斬新な遊技性を提供することができ、遊技に対する興趣の向上を図ることができる。
【０１５５】
（６）演出種別に関する演出モードが同じとなる演出が特定演出として実行される。このため、特定演出から、演出種別が特定可能となるとともに、普通電動入賞口１５への遊技球の入賞に基づいて第１大入賞口２４が動作しているか、役物抽選の当選に基づいて第１大入賞口２４が動作しているかが特定し難くなり、斬新な遊技性を提供することができ、遊技に対する興趣の向上を図ることができる。
【０１５６】
（７）第１大入賞口２４への遊技球の入賞に基づいて計数される遊技球の賞球数に関する演出が特定演出として実行される。このため、特定演出から、遊技球の賞球数に関する演出が実行されるとともに、普通電動入賞口１５への遊技球の入賞に基づいて第１大入賞口２４が動作しているか、役物抽選の当選に基づいて第１大入賞口２４が動作しているかが特定し難くなり、斬新な遊技性を提供することができ、遊技に対する興趣の向上を図ることができる。
【０１５７】
（８）変動ゲームの実行中に特殊通過領域への遊技球の通過による役物抽選の当選に基づく大当り遊技が生起された場合には、その変動ゲームが中断され、その大当り遊技が終了したときには変動ゲームが再開される。このため、役物抽選の当選に基づく大当り遊技を生起させることによって、入球率向上状態の付与を長くすることができ、その大当り遊技を生起させることに対する意識を高めることができ、斬新な遊技性を提供することができ、遊技に対する興趣の向上を図ることができる。
【０１５８】
（９）変動ゲームの実行中に、その変動ゲームの残り時間の計数が継続されるとともに、その変動ゲームの残り時間に関する報知が行われる。その一方で、変動ゲームの実行中に、役物抽選の当選に基づく大当り遊技が生起されると、変動ゲームの実行が中断され、その変動ゲームの残り時間の計数が中断されるが、その変動ゲームの残り時間に関する報知が継続可能に制御される。このように、変動ゲームの実行が中断されても、変動ゲームの残り時間に関する報知が中断されずに継続して行われるので、役物抽選の当選に基づく大当り遊技が生起されたと特定し難くなる。このため、役物抽選の当選に基づく大当り遊技が生起されているか否かに拘わらず、その大当り遊技に対する注意を持たせることができ、斬新な遊技性を提供することができ、遊技に対する興趣の向上を図ることができる。
【０１５９】
（１０）役物ゲームが実行され易い入球率向上状態が付与されている場合に、所定の報知条件が成立する。このため、入球率向上状態が付与されている場合に、役物抽選の当選に基づく大当り遊技が生起されているか否かに拘わらず、その大当り遊技に対する注意を持たせることができ、斬新な遊技性を提供することができ、遊技に対する興趣の向上を図ることができる。
【０１６０】
（１１）特定された変動ゲームの中断時間に基づく上乗せ時間が変動ゲームの残り時間に加算される報知が行われる。このため、変動ゲームの実行が中断された場合に、変動ゲームの残り時間に関する報知が継続されても、実際に実行が中断された変動ゲームの中断時間に基づく上乗せ時間が加算されるので、変動ゲームの中断時間を考慮した変動ゲームの残り時間に関する報知を行うことができる。
【０１６１】
尚、上記実施形態は、次のような別の実施形態（別例）にて具体化できる。
・上記実施形態において、役物ゲームにおける大当り遊技の種類を特定することによって、上乗せ時間を特定したが、これに限らず、例えば、役物ゲームにおける大当り遊技が付与されることによって実際に中断される変動ゲームの中断時間が計測されてもよい。
【０１６２】
・上記実施形態において、役物ゲームにおける大当り遊技が付与されることによって変動ゲームの残り時間が主制御用ＣＰＵ３０ａと演出制御用ＣＰＵ３１ａとの両方によって計数されたが、これに限らず、例えば、何れか一方であってもよい。特に、主制御用ＣＰＵ３０ａが変動ゲームの残り時間を計数する場合には、その計数結果に関する情報を演出制御用ＣＰＵ３１ａに出力するように制御される。
【０１６３】
・上記実施形態において、大当り遊技の終了後、１回目の変動ゲームとして中断した変動ゲームが特定されたが、これに限らない。例えば、１回目の変動ゲームとして、中断した変動ゲームを特定せずに、次の変動ゲームを特定するように構成してもよい。具体的に、主制御用ＣＰＵ３０ａは、変動ゲームの実行中に役物抽選の当選により大当り遊技が付与された場合、大当り遊技の終了後、中断されていた変動ゲームを再開させ、その変動ゲームが終了したときには、作動回数を減算しない。その一方で、主制御用ＣＰＵ３０ａは、大当り遊技の終了後、中断されていない変動ゲームを実行させる場合には、その変動ゲームが終了したときには、作動回数を減算する。また、変短状態の上限回数としては、上記実施形態においては変動ゲーム及び役物ゲームにおいて「２回」として規定されていたが「１回」として規定される。これによって、変動パターンＰ１１のような変動パターンが規定されていなくても問題ない。
【０１６４】
・上記実施形態において、役物ゲームにおける大当り遊技が付与された場合、その大当り遊技の終了後における変短状態が継続的に制御されたが、これに限らず、例えば、変短状態を付与するように制御されてもよい。また、例えば、その大当り遊技の終了後における変短状態の変短回数を加算するように制御されてもよい。具体的な一例としては、変動ゲームにおける大当り遊技が付与された場合に、その大当り遊技の終了後に変短回数が１回として決定される場合があり、更には、役物ゲームにおける大当り遊技が付与された場合に、その大当り遊技の終了後に変短回数が１回として決定される場合がある。このように制御される場合、変動ゲームにおける大当り遊技の終了後に１回の変短状態が付与されているときに、役物ゲームにおける大当り遊技が付与され、その大当り遊技の終了後に、１回分の変短状態の制御が加算され、合計２回の変短状態が付与されるように制御してもよい。また、例えば、役物ゲームにおける大当り遊技が付与された場合、その大当り遊技の終了後における変短状態が再度付与されてもよい。具体的には、役物ゲームにおける大当り遊技が付与された場合、その前における変短状態の上限回数に拘わらず、予め規定された規定回数（例えば、「２回」など）の図柄変動ゲームを上限として変短状態が付与されてもよい。
【０１６５】
・上記実施形態において、役物ゲームの結果を表示するような装置を備えなかったが、これに限らず、例えば、役物ゲームの結果を表示する表示装置を備えてもよい。例えば、通常は、はずれランプが点灯しているが、特殊通過領域を通過したときに大当りランプが点灯するように構成してもよい。また、例えば、第１大入賞口２４が開放状態となっている場合にはずれランプや大当りランプが点滅するように制御してもよい。
【０１６６】
・上記実施形態において、変短状態が付与されてから２回目の変動ゲームの開始を契機として、変動ゲームの残り時間に関する報知が行われたが、これに限らず、例えば、変短状態が付与されてから１回目又は３回目の変動ゲームの開始を契機としてもよい。
【０１６７】
・上記実施形態において、役物ゲームにおける大当り遊技が開始されることを示すオープニングコマンドが入力されることによって、変動ゲームの実行が中断されるか否かが判定されたが、これに限らない。例えば、特殊通過領域を遊技球が通過したことを示すコマンドが入力されることによって、変動ゲームの実行が中断されるか否かが判定されてもよい。
【０１６８】
・上記実施形態において、各種の演出態様、報知態様はこれに限らない。具体的な一例としては、変動ゲームの残り時間に関する報知について、残り時間自体を表示するものに限らず、例えば、残り時間を示すゲージなど、報知内容を示す画像が表示されればよい。
【０１６９】
・上記実施形態において、役物ゲームにおける大当り遊技（大当り）の種類が報知されなかったが、これに限らず、例えば、変動ゲームにおける結果を示す特別図柄とは別に、その大当り遊技の種類が特定可能な図柄等が表示されるように構成してもよい。
【０１７０】
・上記実施形態において、普通電動入賞口１５への遊技球の入球を契機として第１大入賞口２４が開放される場合と、役物ゲームにおける大当り遊技が付与されたことを契機として第１大入賞口２４が開放される場合とで、全ての開放に対応して同じ開放時間が規定されたが、これに限らない。例えば、厳密には同じではないが遊技者によって同じ開放時間であると特定可能な程度であれば好ましい。また、例えば、すべての開放のうち少なくとも一部が同じ開放時間であると特定可能な程度であれば好ましい。具体的な一例としては、役物ゲームにおける大当り遊技で、１〜７ラウンド目は同じと特定可能な開放時間として規定されているものの、８〜１５ラウンド目は同じとは特定困難な開放時間として規定されていてもよい。
【０１７１】
・上記実施形態において、普通電動入賞口１５への遊技球の入球を契機として第１大入賞口２４が開放される場合と、役物ゲームにおける大当り遊技が付与されたことを契機として第１大入賞口２４が開放される場合とで、全ての開放後におけるインターバル時間が同じとなるように規定されたが、これに限らない。例えば、厳密には同じではないが遊技者によって同じインターバル時間であると特定可能な程度であれば好ましく、インターバル時間自体が同じと特定されなくても問題ない。
【０１７２】
・上記実施形態において、普通電動入賞口１５への遊技球の入球を契機として第１大入賞口２４が開放される場合と、役物ゲームにおける大当り遊技が付与されたことを契機として第１大入賞口２４が開放される場合とで、同じ演出態様の背景画像（演出モード）、開放演出、入賞演出が特定演出として実行されたが、これに限らない。例えば、特定演出としては、背景画像、開放演出、入賞演出の少なくとも何れかであってもよく、これら以外の演出であってもよい。また、例えば、厳密に同じ演出態様で特定演出が実行されなくても、遊技者によって同じ演出態様であると特定可能な程度であれば好ましく、同じ演出態様ではないと特定可能な演出が実行されても問題ない。
【０１７３】
・上記実施形態において、各種条件を契機として第１大入賞口２４が１回開放される単位期間が規定されていたが、これに限らず、例えば、第１大入賞口２４が複数回開放される単位期間が規定されていてもよい。
【０１７４】
・上記実施形態において、所定の上限数を上限として普図ゲームの実行を保留可能としたが、これに限らず、例えば、普図ゲームの実行を保留しなくてもよい。
・上記実施形態において、各種演出により、継続可能時間自体を報知したが、これに限らず、例えば、継続可能時間に対応するキャラクタ画像や背景画像等の他の演出画像から、継続可能時間を予測可能としてもよい。また、継続可能時間を特定可能な演出が実行されたが、これに限らず、例えば、継続可能時間を予測可能なように、継続可能時間を示唆する演出が実行されてもよい。つまり、継続可能時間が経過するまでの時間（残り継続可能時間）が長い場合と短い場合とで異なる演出態様で継続可能時間に関する演出が実行されてもよい。
【０１７５】
・上記実施形態において、継続可能時間が「０」となったとき、又は、役物ゲームにおける大当り遊技が終了したときに上乗せ時間演出を実行させたが、これに限らず、例えば、継続可能時間が「０」となる前であり、役物ゲームにおける大当り遊技が終了する前に上乗せ時間演出を実行させてもよい。つまり、役物ゲームにおける大当り遊技が付与された場合であっても継続可能時間の更新が継続されており、遊技者にとって違和感を与えにくいタイミングで上乗せ時間演出が実行されることが好ましい。また、例えば、役物ゲームにおける大当り遊技が終了する前であっても、役物ゲームにおける大当り遊技が終了した後であってもよい。
【０１７６】
・上記実施形態において、変短状態の付与が継続する最後の変動ゲームにおいて、はずれ変動用変動パターンを決定するときに、変動パターンＰ０１，Ｐ０２よりも長い変動時間である変動パターンＰ２１〜Ｐ２５が決定可能であったが、これに限らない。例えば、変動パターンＰ０１，Ｐ０２よりも短い又は同じ変動時間である変動パターンが決定されてもよい。
【０１７７】
・第１実施形態において、変短状態の付与が開始する最初の変動ゲームにおいて、はずれ変動用変動パターンを決定するときに、変動パターンＰ０１，Ｐ０２よりも短い変動時間である変動パターンＰ１１が決定可能であったが、これに限らない。例えば、変動パターンＰ０１，Ｐ０２よりも長い又は同じ変動時間である変動パターンが決定されてもよい。また、例えば、変短状態では、大当りである場合においても、はずれとなる場合と同じような変動時間の変動パターンが規定されていてもよい。
【０１７８】
・上記実施形態において、大当りの種類に基づいて、大当り遊技の終了後に変短状態の上限回数を同じとしたが、これに限らず、例えば、大当りの種類に基づいて、大当り遊技の終了後に変短状態の上限回数を異ならせてもよい。つまり、上記実施形態において、変短状態の上限回数を「１回」や「２回」に定めたが、これに限らず、例えば、複数種類の変短状態の上限回数が定められていてもよい。具体的には、変短状態の上限回数が「１回」と「５回」であってもよい。また、例えば、１回の変動パターンが単位期間（例えば、１分）として規定されており、変短状態の上限回数が「１回」である場合には、変短状態の付与が終了するまでの時間が１分となり、変短状態の上限回数が「５回」である場合には、変短状態の付与が終了するまでの時間が５分となるように構成してもよい。また、例えば、大当り（当り）の種類や当選時の遊技状態に基づいて、変短状態の上限回数が「０回」、「５０回」、「１００回」というように規定されていてもよく、これらの何れかであってもよい。
【０１７９】
・上記実施形態において、当選した大当りの種類によって変短状態を付与しない場合があるが、これに限らず、例えば、大当り遊技の終了後に必ず変短状態を付与してもよい。
・上記実施形態において、変動ゲームにおける特図に対応する飾り図柄が演出表示装置１１に表示されたが、これに限らず、例えば、普図ゲームにおける普図に対応する飾り図柄が演出表示装置１１に表示されるように構成してもよく、これらの組み合わせであってもよい。
【０１８０】
・上記実施形態において、演出表示装置１１により画像を表示させることにより、各種演出を実行したが、これに限らず、演出表示装置１１による画像以外でも、例えば、スピーカからの音声、ランプ等の発光、振動部の振動、可動体の変位、送風装置からの送風などであってもよく、これらの組み合わせであってもよい。
【０１８１】
・上記実施形態において、変短状態が付与されているか否かに対応して、開閉羽根１６を開閉動作させる開放パターンが決定されたが、これに限らない。例えば、普通当りの種類に対応して、開閉羽根１６を開閉動作させる開放パターンが決定されてもよい。また、変短状態としては、開閉羽根１６を開動作させるか否かの抽選結果を導出する普図ゲームの変動時間が非変短状態と比較して短縮されること、普通当り抽選に当選した際、非変短状態と比較して長い開放時間となる動作パターンで開閉羽根１６が開閉動作することの何れかであってもよい。もちろん、変動ゲームの変動時間が非変短状態と比較して短縮されてもよく、これらの組み合わせであってもよい。また、例えば、非変短状態においては、普図当り抽選に当選しないように規定してもよい。
【０１８２】
・上記実施形態において、役物抽選の当選による大当り遊技で、ラウンド遊技の規定ラウンド数（上限ラウンド数）が複数種類設定されるが、これに限らず、例えば、１種類の規定ラウンド数であってもよい。また、上記実施形態において、例えば、特殊通過領域を遊技球が通過した場合に、役物ゲームの大当りの種類が決定され、ラウンド遊技の規定ラウンド数などが決定されてもよい。
【０１８３】
・上記実施形態において、普通電動入賞口１５において、開閉羽根１６が閉鎖状態となると、遊技球が入賞不可能となったが、これに限らず、例えば、開放状態よりも入賞し難くければ、遊技球が入賞可能であってもよい。また、第１大入賞口２４及び第２大入賞口２２において、第１大入賞口羽根２３及び第２大入賞口扉２１が閉鎖状態となると、遊技球が入賞不可能となったが、これに限らず、例えば、開放状態よりも入賞し難くければ、遊技球が入賞可能であってもよい。つまり、開閉羽根１６、第１大入賞口羽根２３及び第２大入賞口扉２１が開状態と閉状態とを取り得るように動作可能であればよい。
【０１８４】
・上記実施形態において、例えば、作動ゲート１９、第１大入賞口２４、普通電動入賞口１５が遊技盤１０の右側にそれぞれ配設されたが、これに限らず、例えば、遊技盤１０の左側にそれぞれ配設されてもよい。また、例えば、第２大入賞口２２が遊技盤１０の右側にそれぞれ配設されてもよい。また、上記実施形態において、上方から順番に、作動ゲート１９、第１大入賞口２４、普通電動入賞口１５が配設されたが、これに限らず、例えば、普通電動入賞口１５が上方に配設されていても問題ない。また、例えば、始動入賞口１４と同じような始動入賞口が遊技盤１０の右側にも配設されてもよい。
【０１８５】
・上記実施形態において、普通図柄表示装置２０に普通当り図柄が表示された場合に、作動口１５ａが開放状態となったが、必ずしも普通当り図柄が表示されることが条件ではなく、普通当り抽選で当選し、普通当り遊技が付与されることで有利な状態となり得る場合に作動口１５ａが開放状態となるようにすればよい。
【０１８６】
・上記実施形態において、特図及び普図の表示態様は問わない。例えば、上記実施形態において、特図としては１４セグメント型の表示装置を用いたが、これに限らず、数字を表示するものでなくても、複数のドットを表示する表示装置や、単に複数のＬＥＤ等を点灯及び消灯を行う表示装置であってもよい。
【０１８７】
・上記実施形態において、例えば、第２大入賞口２２に入賞した遊技球が通過可能な特定通過領域と一般通過領域とを形成し、ラウンド制御が終了するまでに特定通過領域を遊技球が通過しなかった場合に、それ以降のラウンド制御が実行されないで大当り遊技が終了するように制御してもよい（所謂、「パンク」）。また、例えば、特定ラウンドのラウンド制御に限り、特定通過領域を遊技球が通過しなかった場合に、それ以降のラウンド制御が実行されないで大当り遊技が終了するように制御してもよい。
【０１８８】
・上記実施形態において、第１大入賞口２４と第２大入賞口２２とを別体として構成したが、これに限らず、例えば、１つの大入賞口で構成してもよい。
・上記実施形態において、役物ゲームにおける大当り遊技として、第１大入賞口２４が開放されたが、これに限らず、例えば、第２大入賞口２２が開放されてもよい。この場合、同じ第１大入賞口２４が開放されないものの、同じ流路に配設された第１大入賞口２４と第２大入賞口２２との１回の開放時間が同じと特定されるように規定する。これによって、同じ流路に遊技球が発射されたときに、第１大入賞口２４と第２大入賞口２２との何れかに遊技球が入球可能な状況となる。そして、何れかが開状態となるかという意識を持たせ難くすることによって、役物ゲームにおける大当り遊技が付与されているという感覚を与えることができ、斬新な遊技性を提供することができ、遊技に対する興趣の向上を図ることができる。
【０１８９】
・上記実施形態において、変動ゲームと役物ゲームとを原則として独立して実行させたが、これに限らず、例えば、第１変動ゲームと第２変動ゲームとを同時に実行させてもよい。この場合、普通電動入賞口１５に遊技球が入賞することが第２変動ゲームの始動条件となる。また、特図に関する各種制御が、第１変動ゲームと第２変動ゲームとで行われる。また、一方の変動ゲームで大当り遊技が付与された場合、他方の変動ゲームを中断させ、その大当り遊技が終了すると、その変動ゲームを再開するように制御する。例えば、第２変動ゲームにおいて、当り抽選の結果により当りに当選した場合に、特図の種類により、当りの種類（大当り及び小当り）を決定し、小当りに当選した場合に、第１大入賞口２４を開放状態とするように構成してもよい。また、例えば、大当り抽選と、小当り抽選とを別々に行うように制御してもよく、その実行順序も問わず、大当り抽選に当選しなかった場合に、小当り抽選を行っても、小当り抽選に当選しなかった場合に、大当り抽選を行ってもよい。また、例えば、第２変動ゲームにおいて当り抽選の結果に基づいて小当りに当選した後に、特殊通過領域を遊技球が通過した場合に、大当り遊技が生起される一方で、第２変動ゲームで当り抽選の結果に基づいて大当りに当選した場合に、特殊通過領域を遊技球が通過したか否かに拘わらず、大当り遊技が生起されなくてもよい。また、例えば、当り抽選の結果に基づいて小当りに当選しないように構成してもよい。また、例えば、第２変動ゲームにおいて大当りに当選した場合に、大当り遊技が生起され、１ラウンド目のラウンド遊技において、第１大入賞口２４を開放状態に動作させ、特殊通過領域を遊技球が通過したときに、大当り遊技が継続され、２ラウンド目のラウンド遊技において、第２大入賞口２２を開放状態に動作させるように制御してもよい。つまり、変動ゲームにおいて大当り表示結果が表示された場合に、第１大入賞口羽根２３（第１大入賞口２４）が開放状態となる大当り遊技が生起され、特殊通過領域を遊技球が通過したことを条件として大当り遊技が継続されるように構成してもよい。また、例えば、第２変動ゲームにおいて大当り表示結果が表示された場合に、特殊通過領域を遊技球が通過したか否かに拘わらず、大当り遊技が継続されるように構成してもよく、特殊通過領域自体が設けられていなくてもよい。また、例えば、大当り判定の当選確率が低確率状態から高確率状態に制御される確変状態が付与されるように遊技機であってもよい。また、２種類の変動ゲームではなく、例えば、１種類又は３種類以上の変動ゲームや、複数種類の役物ゲームを実行させてもよい。また、例えば、複数種類の変動ゲームにおいては、大当り遊技の開始によって相互に変動ゲームの実行が中断されても、相互には変動ゲームの実行が中断されなくてもよい。
【０１９０】
・上記実施形態において、所定回数の第１変動ゲームが実行されることが変短状態の終了条件として制御されたが、これに限らず、例えば、第１変動ゲームにおいて非変短状態となる大当りに当選したことが変短状態の終了条件として制御されてもよい。この場合における具体的な一例としては、第１変動ゲームに対応する大入賞口と、第２変動ゲームに対応する大入賞口との何れにも、遊技球が通過することによって大当り遊技の終了後に確変状態が付与される確変作動口が設けられていてもよい。そして、第１変動ゲームにおける大当り遊技では、所定確率で確変作動口を遊技球が通過するように制御されるが、第２変動ゲームにおける大当り遊技では、極めて高い確率で確変作動口を遊技球が通過するように制御される。また、第１変動ゲームの実行条件が成立し得る第１始動入賞口と、第２変動ゲームの実行条件が成立し得る第２始動入賞口（普通電動入賞口）とが同じ流路に設けられていてもよい。このような構成において、第１変動ゲームと第２変動ゲームとが相互に独立して実行されると（所謂、「同時変動タイプ」）、変短状態が付与されている場合に、第２変動ゲームにおける大当り遊技が付与されれば、確変状態及び変短状態が付与されることとなる。しかし、第１変動ゲームにおいて大当り遊技が付与され、確変作動口を遊技球が通過しなかった場合には、非変短状態に制御されることとなる。それまでに実行される第１変動ゲームの変動時間においては変短状態の付与が継続されるように制御可能となる。
【０１９１】
・上記実施形態において、遊技球が入球することで賞球が得られる「入賞」、遊技球が入球することがない「通過」、遊技球が入球することで賞球が得られない「入球」を用いて記載したが、これらの全ては請求項中の「入球」や「通過」に含まれる概念である。また、請求項中の「入球」と「通過」とを同義としてもよい。
【０１９２】
次に、上記実施形態及び別例から把握できる技術的思想を以下に追記する。
（イ）前記始動手段は、第１流路に設けられ、前記特別入球口及び前記特殊入球口は、前記第１流路とは異なる第２流路に設けられたことを特徴とする。
【０１９３】
（ロ）前記図柄変動ゲームの実行中に前記特殊通過領域への遊技球の通過による第２当り遊技が生起された場合には、該図柄変動ゲームを中断させる中断手段と、前記中断手段によって図柄変動ゲームを中断させた場合において第２当り遊技が終了したときには、該図柄変動ゲームを再開させる再開手段と、を備えたことを特徴とする。
【０１９４】
（ハ）所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、前記当り判定手段の判定結果が肯定となったことによる第１当り遊技が生起された場合、該第１当り遊技の終了後に、前記特殊開閉手段が開状態となり易くなる入球率向上状態を特定回数の図柄変動ゲームを上限として付与可能に制御する遊技状態制御手段と、を備え、前記変動内容決定手段は、前記入球率向上状態が付与されている場合には、前記入球率向上状態が付与されていない場合よりも変動時間が長い変動内容を決定し易く、前記特殊開閉手段は、前記特殊入球手段とは別で特定通過領域を通過することを契機とする第１条件と、前記特殊通過領域を遊技球が通過して第２当り遊技が生起された第２条件との何れか一方により、前記特殊入球口が開状態と閉状態を取り得るように動作し、前記第２条件が成立することにより前記第２当り遊技において前記特殊開閉手段が開状態とされる１回の開放時間の少なくとも一部は、前記第１条件が成立することにより前記特殊開閉手段が開状態とされる１回の開放時間の一部と同じと特定可能なように規定されていることを特徴とする。
【０１９５】
（ニ）所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、所定の開条件が成立すると該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、遊技球が入球可能な特別入球口、前記特殊通過領域を遊技球が通過して第２当り遊技が生起されたときに該特別入球口が開状態と閉状態を取り得るように動作する特別開閉手段を有する特別入球手段と、前記当り判定手段の判定結果が肯定となったことによる第１当り遊技が生起された場合、該第１当り遊技の終了後に、前記所定の開条件が成立し易くなる入球率向上状態を特定回数の図柄変動ゲームを上限として付与可能に制御する遊技状態制御手段と、を備え、前記変動内容決定手段は、前記入球率向上状態が付与されている場合には、前記入球率向上状態が付与されていない場合よりも変動時間が長い変動内容を決定し易く、前記第２当り遊技において前記特別開閉手段が開状態とされる１回の開放時間の少なくとも一部は、前記所定の開条件が成立することにより前記特殊開閉手段が開状態とされる１回の開放時間の一部と同じと特定可能なように規定されていることを特徴とする。
【０１９６】
（ホ）所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、前記当り判定手段の判定結果が肯定となったことによる第１当り遊技が生起された場合、該第１当り遊技の終了後に、前記特殊開閉手段が開状態となり易くなる入球率向上状態を特定回数の図柄変動ゲームを上限として付与可能に制御する遊技状態制御手段と、所定の演出を実行する演出実行手段と、前記演出実行手段の制御を行う演出制御手段と、を備え、前記変動内容決定手段は、前記入球率向上状態が付与されている場合には、前記入球率向上状態が付与されていない場合よりも変動時間が長い変動内容を決定し易く、前記特殊開閉手段は、前記特殊入球手段とは別で特定通過領域を通過することを契機とする第１条件と、前記特殊通過領域を遊技球が通過して第２当り遊技が生起された第２条件との何れか一方により、前記特殊入球口が開状態と閉状態を取り得るように動作し、前記演出制御手段は、前記第２条件が成立することにより前記第２当り遊技において前記特殊開閉手段の動作期間の少なくとも一部と、前記第１条件が成立することにより前記特殊開閉手段の動作期間の少なくとも一部との両方で、同じ演出態様と特定可能な特定演出を前記演出実行手段に実行可能に制御することを特徴とする。
【０１９７】
（ヘ）所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、遊技球が入球可能な特殊入球口、所定の開条件が成立すると該特殊入球口が開状態と閉状態を取り得るように動作する特殊開閉手段、及び該特殊入球口から入球した遊技球が通過することで第２当り遊技が生起され得る遊技球が通過可能な特殊通過領域を有する特殊入球手段と、遊技球が入球可能な特別入球口、前記特殊通過領域を遊技球が通過して第２当り遊技が生起されたときに該特別入球口が開状態と閉状態を取り得るように動作する特別開閉手段を有する特別入球手段と、前記当り判定手段の判定結果が肯定となったことによる第１当り遊技が生起された場合、該第１当り遊技の終了後に、前記所定の開条件が成立し易くなる入球率向上状態を特定回数の図柄変動ゲームを上限として付与可能に制御する遊技状態制御手段と、所定の演出を実行する演出実行手段と、前記演出実行手段の制御を行う演出制御手段と、を備え、前記変動内容決定手段は、前記入球率向上状態が付与されている場合には、前記入球率向上状態が付与されていない場合よりも変動時間が長い変動内容を決定し易く、前記演出制御手段は、前記第２当り遊技において前記特別開閉手段の動作期間の少なくとも一部と、前記所定の開条件が成立することにより前記特殊開閉手段の動作期間の少なくとも一部との両方で、同じ演出態様と特定可能な特定演出を前記演出実行手段に実行可能に制御することを特徴とする。
【０１９８】
（ト）所定の実行条件の成立により図柄を変動させて行う図柄変動ゲームを行う表示手段を備え、前記図柄変動ゲームにおいて予め定めた当り表示結果が表示された場合に、遊技者に有利となる第１当り遊技が生起される遊技機において、前記図柄変動ゲームとは別で、遊技者に有利となる第２当り遊技が生起され得る第２ゲームが実行可能であり、図柄変動ゲームが第１当りとなるか否かを判定する当り判定手段と、前記当り判定手段の判定結果に基づいて図柄変動ゲームの変動時間を特定可能な図柄変動ゲームの変動内容を決定する変動内容決定手段と、図柄変動ゲームが実行される場合、前記変動内容決定手段によって決定された当該図柄変動ゲームの変動時間に基づいて、当該図柄変動ゲームの残り時間を計数する残り時間計数手段と、所定の報知条件の成立により、実行中の図柄変動ゲームの残り時間に関する報知を報知手段に行わせる制御を行う報知制御手段と、前記図柄変動ゲームの実行中に前記第２当り遊技が生起された場合には、該図柄変動ゲームの実行を中断させる中断手段と、を備え、前記残り時間計数手段は、前記図柄変動ゲームの実行中に当該図柄変動ゲームの残り時間の計数を継続する一方で、前記中断手段によって図柄変動ゲームの実行が中断された場合、当該図柄変動ゲームの残り時間の計数を中断し、前記報知制御手段は、前記図柄変動ゲームの実行中に当該図柄変動ゲームの残り時間に関する報知を行うとともに、前記中断手段によって図柄変動ゲームの実行が中断された場合であっても当該図柄変動ゲームの残り時間に関する報知を継続可能に制御することを特徴とする。
【符号の説明】
【０１９９】
１１…演出表示装置（報知手段、演出実行手段）、１２…特別図柄表示装置（表示手段）、１４…始動入賞口（始動手段）、１５…普通電動入賞口（可変入球手段）、１５ａ…作動口（普通入球口）、１６…開閉羽根（開閉手段）、２１…第２大入賞口扉（特別開閉手段）、２２…第２大入賞口（特別入球手段）、２３…第１大入賞口羽根（特殊開閉手段）、２４…第１大入賞口（特殊入球手段）、２４ａ…特殊入賞口（特殊入球口）、３０…主制御基板、３０ａ…主制御用ＣＰＵ（当り判定手段、変動内容決定手段、普通当り判定手段、遊技状態制御手段、中断手段、再開手段）、３１…演出制御基板、３１ａ…演出制御用ＣＰＵ（報知制御手段、演出制御手段、演出モード制御手段、残り時間計数手段、中断時間特定手段）。
【図１】
2015171403.tif 000003
【図２】
2015171403.tif 000004
【図３】
2015171403.tif 000005
【図４】
2015171403.tif 000006
【図５】
2015171403.tif 000007
【図６】
2015171403.tif 000008
【図７】
2015171403.tif 000009
【図８】
2015171403.tif 000010
【図９】
2015171403.tif 000011
【図１０】
2015171403.tif 000012
【図１１】
2015171403.tif 000013